(57)【要約】【課題】シャッターケース等の収納部内に巻回されて収納されるシャッターカーテン等の開閉体と開閉機との配置関係を改善し、収納部内のデッドスペースを縮減させる【解決手段】シャッターカーテン１９の最大巻径ＤｍにクリアランスＣを加えた外径線Ｄｃ上に位置して天板５、背板７、正面板１３の各内側面部が位置するとともに、巻取中心Ｏを通る垂線Ｌｏ上であって最大巻径Ｄｍより下方で最小巻径Ｄｓの下端から挿通間隙Ｉを有して底板９の内側面部が位置し、底板９と背板７との接合部分に内隅部２３を備えてシャッターケース３が形成され、内隅部２３における外径線Ｄｃより外方に開閉機３５が脱着自在に配設され、シャッターカーテン１９をガイドするガイドレール１７の位置が巻取中心Ｏを通る垂線Ｌｏと最大巻径Ｄｍを通る垂線Ｌｆとの間であって、底板９に導入口１７ａが配設される【選択図】        図５
2011058363.tif 000002
【特許請求の範囲】
【請求項１】
開口部の一側縁に配置される開閉体収納部内へ電動の開閉機にて開閉体を建物の屋内側方向に巻き取って巻回状態に収納する電動巻取式開閉装置の構造において、
前記開閉体収納部内における前記開閉体の最大巻径の外方に位置するとともに、前記開閉体収納部内の底面上における最奥部となる屋内側に位置して前記開閉機が配設されることを特徴とする電動巻取式開閉装置の構造。
【請求項２】
開口部の一側縁に配置される開閉体収納部内へ電動の開閉機にて開閉体を建物の屋内側方向に巻き取って巻回状態に収納する電動巻取式開閉装置の構造において、
前記開閉体収納部を構成し屋内側となる背面と底面との接合部分における内隅部に位置するとともに、前記開閉体の最大巻径の外方に前記開閉機が配設されることを特徴とする電動巻取式開閉装置の構造。
【請求項３】
開口部の一側縁に配置される開閉体収納部内へ電動の開閉機にて開閉体を建物の屋内側方向に巻き取って巻回状態に収納する電動巻取式開閉装置の構造において、
前記開閉体の最大巻径に所定のクリアランスを加えた外径線上の上方頂点に位置して天面が位置するとともに、前記外径線上の後方頂点に位置して背面が位置し、かつ、前記外径線上の前方頂点に位置して正面が位置するとともに、巻取中心を通り、垂下方向に延びる線上であって前記最大巻径より下方となり、最小巻径の下端から所定の挿通間隙を有して底面が位置し、少なくとも該底面と前記背面との接合部分に内隅部を備えて開閉体収納部が形成され、
前記背面と前記底面とで形成される内隅部における前記外径線より外方に位置して前記開閉機が脱着自在に配設され、
前記開閉体の幅方向両側縁を支持し開閉をガイドするガイドレールの位置が、前記巻取中心を通る垂線と前記最大巻径の前方頂点を通る垂線との間であって、前記開閉体収納部における前記底面に前記ガイドレール上端の導入口が配設されることを特徴とする電動巻取式開閉装置の構造。
【請求項４】
開口部の一側縁に配置される開閉体収納部内へ電動の開閉機にて開閉体を建物の屋外側方向に巻き取って巻回状態に収納する電動巻取式開閉装置の構造において、
前記開閉体収納部内における前記開閉体の最大巻径の外方に位置するとともに、前記開閉体収納部内の底面上における最奥部となる屋内側に位置して前記開閉機が配設されることを特徴とする電動巻取式開閉装置の構造。
【請求項５】
開口部の一側縁に配置される開閉体収納部内へ電動の開閉機にて開閉体を建物の屋外側方向に巻き取って巻回状態に収納する電動巻取式開閉装置の構造において、
前記開閉体収納部を構成し屋内側となる背面と底面との接合部分における内隅部に位置するとともに、前記開閉体の最大巻径の外方に前記開閉機が配設されることを特徴とする電動巻取式開閉装置の構造。
【請求項６】
開口部の一側縁に配置される開閉体収納部内へ電動の開閉機にて開閉体を建物の屋外側方向に巻き取って巻回状態に収納する電動巻取式開閉装置の構造において、
前記開閉体の最大巻径に所定のクリアランスを加えた外径線上の上方頂点に位置して天面が位置するとともに、前記外径線上の後方頂点に位置して背面が位置し、かつ、前記外径線上の前方頂点に位置して正面が位置するとともに、巻取中心を通り、垂下方向に延びる線上であって前記最大巻径より下方となり、最小巻径の下端から所定の挿通間隙を有して底面が位置し、少なくとも該底面と前記背面との接合部分に内隅部を備えて開閉体収納部が形成され、
前記背面と前記底面とで形成される内隅部における前記外径線より外方に位置して前記開閉機が脱着自在に配設され、
前記開閉体の幅方向両側縁を支持し開閉をガイドするガイドレールの位置が、前記巻取中心を通る垂線と前記最大巻径の後方頂点を通る垂線との間であって、前記開閉体収納部における前記底面に前記ガイドレール上端の導入口が配設されることを特徴とする電動巻取式開閉装置の構造。
【請求項７】
前記開閉体収納部の正面およびまたは前記ガイドレールが脱着自在とされていることを特徴とする請求項３又は６記載の電動巻取式開閉装置の構造。
【請求項８】
開口部の一側縁に配置される開閉体収納部内へ電動の開閉機にて開閉体を躯体側方向に巻き取って巻回状態に収納する電動巻取式開閉装置の構造において、
前記開閉体収納部内における前記開閉体の巻取中心よりも躯体側で、かつ該巻取中心よりも前記開口部側に位置して前記開閉機が配置されることを特徴とする電動巻取式開閉装置の構造。
【請求項９】
開口部の一側縁に配置される開閉体収納部内へ電動の開閉機にて開閉体を巻き取って巻回状態に収納する電動巻取式開閉装置の構造において、
前記開閉体の巻取中心を通り、前記開口部の方向に延びる線上であって前記開閉体の最大巻径より前記開口部側となり、前記開閉体の最小巻径の前記開口部側から前記開閉機の通過が可能な挿通間隙を有して前記開閉体収納部の一部を構成する配置面が位置し、
前記開閉体収納部内における前記開閉体の最大巻径の外方に位置するとともに、前記開閉体の巻取中心よりも躯体側で、かつ該巻取中心よりも前記開口部側に位置する前記配置面上に前記開閉機が脱着自在に配置されることを特徴とする電動巻取式開閉装置の構造。
【発明の詳細な説明】
【技術分野】
【０００１】
本発明は、住宅やビルなどの建物における窓部などの開口部分に設置される電動シャッターなどの電動巻取式開閉装置の構造に関するものである。
【背景技術】
【０００２】
住宅やビルなどの窓などの開口部分に配設される電動巻取式開閉装置としての電動シャッターは、開閉体であるシャッターカーテンの巻き取り及び巻き戻しを、巻取軸に連結された電動モータを備える開閉機によって、この巻取軸を回動させることで行うが、この開閉機と巻取軸とは、シャッターカーテンを巻回状態で収納する収納部であるシャッターケース内に配設されるようになっており、これら開閉機と巻取軸とを並列させ、開閉機の出力軸と巻取軸とをチェーンで連結させる構成となっている。そして、シャッターケースは、窓部分などの建物開口の一部をふさぐことのないように、その開口部分の上縁部分に建物外壁に対して突出するように配設される。
【発明の概要】
【発明が解決しようとする課題】
【０００３】
しかしながら、上述した従来の電動シャッターでは、駆動源である開閉機のメンテナンス作業性を考慮した配置構造とされており、収納部分であるシャッターケースの形状が、その作業性をより配慮した設計とされ、すなわち、シャッターケースの内部空間が大きく、結果的にシャッターケースが大型化され、そのためシャッターケース内に多くのデッドスペースを有している場合がある。一方、使用者（ユーザー）の側としては、躯体への納まりを良くしたい、見栄えを良くしたい等の理由から、なるべくシャッターケース等の収納部を小型化して欲しいというニーズがある。
【０００４】
そこで本発明は、上記問題点を解消するために、シャッターケースなどの収納部内に巻回されて収納されるシャッターカーテンなどの開閉体と開閉機との配置関係を改善し、収納部内のデッドスペースを縮減させ、そのスペースをより有効に利用させる構造となる電動巻取式開閉装置の構造を提供することを目的としている。
【課題を解決するための手段】
【０００５】
次に、上記の課題を解決するための手段を、実施の形態に対応する図面を参照して説明する。
この発明の電動巻取式開閉装置の構造は、開口部２の一側縁に配置される開閉体収納部３内へ電動の開閉機３５にて開閉体１９を建物の屋内側方向に巻き取って巻回状態に収納する電動巻取式開閉装置の構造において、
前記開閉体収納部３内における前記開閉体１９の最大巻径Ｄｍの外方に位置するとともに、前記開閉体収納部３内の底面９上における最奥部となる屋内側に位置して前記開閉機３５が配設されることを特徴としている。
【０００６】
また、この発明の電動巻取式開閉装置の構造は、開口部２の一側縁に配置される開閉体収納部３内へ電動の開閉機３５にて開閉体１９を建物の屋内側方向に巻き取って巻回状態に収納する電動巻取式開閉装置の構造において、
前記開閉体収納部３を構成し屋内側となる背面７と底面９との接合部分における内隅部２３に位置するとともに、前記開閉体１９の最大巻径Ｄｍの外方に例えば所定のクリアランスＣを介して前記開閉機３５が配設されることを特徴としている。
【０００７】
さらに、この発明の電動巻取式開閉装置の構造は、開口部２一側縁に配置される開閉体収納部３内へ電動の開閉機３５にて開閉体１９を建物の屋内側方向に巻き取って巻回状態に収納する電動巻取式開閉装置の構造において、
前記開閉体１９の最大巻径Ｄｍに所定のクリアランスＣを加えた外径線Ｄｃ上の上方頂点Ｕに位置して天面５が位置するとともに、前記外径線Ｄｃ上の後方頂点Ｂに位置して背面７が位置し、かつ、前記外径線Ｄｃ上の前方頂点Ｆに位置して正面１３が位置するとともに、巻取中心Ｏを通り、垂下方向に延びる線Ｌｏ上であって前記最大巻径Ｄｍより下方となり、最小巻径Ｄｓの下端から所定の挿通間隙Ｉを有して底面９が位置し、少なくとも該底面９と前記背面７との接合部分に内隅部２３を備えて開閉体収納部３が形成され、
前記背面７と前記底面９とで形成される内隅部２３における前記外径線Ｄｃより外方に位置して前記開閉機３５が脱着自在に配設され、
前記開閉体１９の幅方向側縁を支持し開閉をガイドするガイドレール１７の位置が、前記巻取中心Ｏを通る垂線Ｌｏと前記最大巻径Ｄｍの前方頂点Ｆａを通る垂線Ｌｆとの間であって、前記開閉体収納部３における前記底面９に前記ガイドレール１７上端の導入口１７ａが配設されることを特徴としている。
【０００８】
上記のような構成により、開閉体収納部３を構成する、天面５，背面７，底面９，正面１３の各配置位置と、この開閉体収納部３内に配置される開閉機３５の位置、これら各部と巻取状態の開閉体１９との位置、及び開閉体１９の開閉を案内するガイドレール１７の配置位置とを上述のように構成させたので、開閉体収納部３内のデッドスペースである無駄な容積部分が縮小でき、開閉体収納部３の外形状を小型化することが可能となり、すなわち開閉体収納部３の縦寸法Ｄｈ及び奥行き寸法Ｄｂを縮減させることが可能となる。これにより、建物等の躯体の外壁に対して、開閉体収納部３は、外壁Ｗからの突出長さが削減され、建物外観としての見栄えが良好となるとともに、開閉体収納部３の大きさが小型化されたことから、窓部分等の建物開口部分２への配設状態がコンパクトになり、この開口部分２を大きく塞ぐような圧迫感のある構造にならずに、巻取式開閉装置の機能を窓部分に付設させることが可能となる。
【０００９】
また、開閉体の巻取方向を内巻として屋内側方向に設定したことから、ガイドレールの位置に対する巻取軸の中心位置が屋内側となり、ガイドレールに対する開閉体収納部の突出方向を屋内側方向とすることとなる。これにより、躯体等の建物外壁に対して、開閉体収納部は、外壁からの突出長さが削減することが可能となる。
【００１０】
さらに、開閉体収納部３内に配置される開閉機３５の位置が、収納部３内の底面９上であることから、建物開口２側から容易に手の届く位置となり、メンテナンス作業が行い易くなる。
【００１１】
また、この発明の電動巻取式開閉装置の構造は、開口部２の一側縁に配置される開閉体収納部３内へ電動の開閉機３５にて開閉体１９を建物の屋外側方向に巻き取って巻回状態に収納する電動巻取式開閉装置の構造において、
前記開閉体収納部３内における前記開閉体１９の最大巻径Ｄｍの外方に位置するとともに、前記開閉体収納部３内の底面９上における最奥部となる屋内側に位置して前記開閉機３５が配設されることを特徴としている。
【００１２】
さらに、この発明の電動巻取式開閉装置の構造は、開口部２の一側縁に配置される開閉体収納部３内へ電動の開閉機３５にて開閉体１９を建物の屋外側方向に巻き取って巻回状態に収納する電動巻取式開閉装置の構造において、
前記開閉体収納部３を構成し屋内側となる背面７と底面９との接合部分における内隅部２３に位置するとともに、前記開閉体１９の最大巻径Ｄｍの外方に例えば所定のクリアランスＣを介して前記開閉機３５が配設されることを特徴としている。
【００１３】
また、この発明の電動巻取式開閉装置の構造は、開口部２一側縁に配置される開閉体収納部３内へ電動の開閉機３５にて開閉体１９を建物の屋外側方向に巻き取って巻回状態に収納する電動巻取式開閉装置の構造において、
前記開閉体１９の最大巻径Ｄｍに所定のクリアランスＣを加えた外径線Ｄｃ上の上方頂点Ｕに位置して天面５が位置するとともに、前記外径線Ｄｃ上の後方頂点Ｂに位置して背面７が位置し、かつ、前記外径線Ｄｃ上の前方頂点Ｆに位置して正面１３が位置するとともに、巻取中心Ｏを通り、垂下方向に延びる線Ｌｏ上であって前記最大巻径Ｄｍより下方となり、最小巻径Ｄｓの下端から所定の挿通間隙Ｉを有して底面９が位置し、少なくとも該底面９と前記背面７との接合部分に内隅部２３を備えて開閉体収納部３が形成され、
前記背面７と前記底面９とで形成される内隅部２３における前記外径線Ｄｃより外方に位置して前記開閉機３５が脱着自在に配設され、
前記開閉体１９の幅方向側縁を支持し開閉をガイドするガイドレール１７の位置が、前記巻取中心Ｏを通る垂線Ｌｏと前記最大巻径Ｄｍの後方頂点Ｂａを通る垂線Ｌｂとの間であって、前記開閉体収納部３における前記底面９に前記ガイドレール１７上端の導入口１７ａが配設されることを特徴としている。
【００１４】
上記のような構成により、開閉体収納部３を構成する、天面５，背面７，底面９，正面１３の各配置位置と、この開閉体収納部３内に配置される開閉機３５の位置、これら各部と巻取状態の開閉体１９との位置、及び開閉体１９の開閉を案内するガイドレール１７の配置位置とを上述のように構成させたので、開閉体収納部３内のデッドスペースである無駄な容積部分が縮小でき、開閉体収納部３の外形状を小型化することが可能となり、すなわち開閉体収納部３の縦寸法Ｄｈ及び奥行き寸法Ｄｂを縮減させることが可能となる。これにより、建物外壁に対して、開閉体収納部３は、大きさが小型化され、窓部分等の建物開口部分２への配設状態がコンパクトになり、この開口部分２を大きく塞ぐような圧迫感のある構造にならずに、巻取式開閉装置の機能を窓部分に付設させることが可能となる。
【００１５】
また、開閉体の巻取方向を外巻とした構成としたので、躯体等の建物の外壁の屋外側に巻取軸の中心が位置することとなるが、ガイドレールの配置位置、開閉機の配置位置、開閉体の移動軌跡のそれぞれの位置関係が、外壁よりも屋内側（躯体側）に配置されることとなり、機構部分などが建物外壁の厚さ内に配置されることとなって、表出する部分は、開閉体収納部を構成する正面部分のみとすることができ、収納される開閉体の最大巻径に沿った形状で構成でき、見栄えの良い省スペース化を考慮された形状に構成可能となる。
【００１６】
さらに、開閉体収納部３内に配置される開閉機３５の位置が、収納部３内の底面９上であることから、建物開口２側から容易に手の届く位置となり、メンテナンス作業が行い易くなる。
【００１７】
なお、前記開閉体収納部３の正面１３およびまたは前記ガイドレール１７が脱着自在とされていると好ましい。
【００１８】
これにより、開閉体収納部３内に対する開閉機３５の出し入れを容易に行うことが可能となる。
【００１９】
また、この発明の電動巻取式開閉装置の構造は、開口部２の一側縁に配置される開閉体収納部３内へ電動の開閉機３５にて開閉体１９を躯体側方向に巻き取って巻回状態に収納する電動巻取式開閉装置の構造において、
前記開閉体収納部３内における前記開閉体１９の巻取中心Ｏよりも躯体側で、かつ該巻取中心Ｏよりも前記開口部２側に位置して前記開閉機３５が配置されることを特徴としている。
【００２０】
このような構成によれば、開閉機３５が、躯体外部から見て奥方に位置することとなり、開閉体収納部３として、巻回状態の開閉体１９の巻取中心よりも躯体外側を覆う部分で構成されればよく、すなわち開閉体収納部３の内側部分の無駄な空間を削減でき、これにより、この開閉体収納部３の外見を見栄えよく構成させることが可能となる。
【００２１】
さらに、この発明の電動巻取式開閉装置の構造は、開口部２の一側縁に配置される開閉体収納部３内へ電動の開閉機３５にて開閉体１９を巻き取って巻回状態に収納する電動巻取式開閉装置の構造において、
前記開閉体１９の巻取中心Ｏを通り、前記開口部２の方向に延びる線上であって前記開閉体１９の最大巻径Ｄｍより前記開口部２側となり、前記開閉体１９の最小巻径Ｄｓの前記開口部２側から前記開閉機３５の通過が可能な挿通間隙Ｉを有して前記開閉体収納部３の一部を構成する配置面が位置し、
前記開閉体収納部３内における前記開閉体１９の最大巻径Ｄｍの外方に位置するとともに、前記開閉体１９の巻取中心Ｏよりも躯体側で、かつ該巻取中心Ｏよりも前記開口部２側に位置する前記配置面上に前記開閉機３５が脱着自在に配置されることを特徴としている。
【００２２】
このような構成によれば、脱着自在な開閉機３５を、挿通間隙Ｉを通して開閉体収納部３から取り出し及び取り付けを行うことが可能となる。すなわち、開閉体１９が最大巻径Ｄｍである場合には開閉機３５が脱着できず、最小巻径Ｄｓとなってる場合に挿通間隙Ｉが形成されて開閉機３５が挿通可能となり脱着できる。このことから、開口部２に対する開閉体収納部３の配設状態をコンパクトに構成でき、かつ開閉機３５のメンテナンス性も向上する。
【００２３】
なお、上記構成において、開閉機３５の配置される位置である配置面は、開閉体１９の最小巻径Ｄｓの際に開閉機３５が挿通間隙Ｉを介して挿通可能である位置とされればよく、また、この挿通間隙Ｉに対して、開閉機３５の挿通幅長（高さ寸法Ｈｍ）としてこの挿通間隙Ｉ以下の長さ位置で構成されることとしてもよい。また、開閉機３５の開口部２に対する配置位置としては、開口部側とされる上記配置面に限らず、開口部２とは反対の方向の側（反開口部側）に位置させて配置させる構成でもよい。
【発明の効果】
【００２４】
以上説明したように本発明による電動巻取式開閉装置の構造では、開閉機の配置位置を開閉体収納部内での背面と底面との接合部分における内隅部に位置させるとともに、開閉体の最大巻径の外方に配設したので、開閉体収納部内のスペース効率を向上させ、より有効に利用することが可能となり、開閉体収納部の小型化を図ることができる。
【００２５】
そして、開閉体収納部を構成する、天面，背面，底面，正面の各配置位置と、この開閉体収納部内に配置される開閉機の位置、これら各部と巻回状態となってる開閉体との位置、及び開閉体の開閉を案内するガイドレールの配置位置とを効率よく配置構成させたので、開閉体収納部内のデッドスペースである無駄な容積部分が縮小でき、開閉体や開閉機を収納する開閉体収納部の外形状を小型化することが可能となり、すなわち開閉体収納部の奥行き寸法等の各寸法を縮減させることが可能となる。
【００２６】
また、開閉体の巻取方向を内巻として屋内側方向に設定したことから、ガイドレールに対する開閉体収納部の突出方向を屋内側方向とすることとなる。これにより、躯体等の建物外壁に対して、開閉体収納部は、外壁からの突出長さが削減することが可能となる。
【００２７】
さらに、上記のような配置構成によれば、開閉体を巻き取る位置に対する開閉体をガイドレールに導く導入口の位置が、開閉機の高さ寸法が考慮された配置関係となる構成であるので、開閉体の最大巻径の位置から導入口を結ぶ移動軌跡線と最小巻径の位置から導入口を結ぶ移動軌跡線とによる角度が浅くなり、これにより導入口への開閉体の移動がスムーズなものとなる。
【００２８】
また、開閉体の巻取方向を外巻とした構成によれば、躯体等の建物の外壁の屋外側に巻取軸の中心が位置することとなるが、開閉機の配置位置、開閉体の移動軌跡のそれぞれの位置関係が、外壁よりも屋内側（躯体側）に配置されることとなる。よって、表出される部分は、開閉体収納部を構成する正面部分のみとすることができ、収納される開閉体の最大巻径に沿った形状で構成でき、見栄えの良い省スペース化を考慮された形状に構成可能となる。
【００２９】
このようなことから、開閉体収納部の大きさが小型化されることとなり、窓部分等の建物開口部分への配設状態がコンパクトに構成でき、この開口部分を大きく塞ぐような圧迫感のある構造にならずに、巻取式開閉装置の機能を窓部分に付設させることが可能となり、躯体の外観、例えば建物外観としての見栄えが良好とすることができる。
【００３０】
また、開閉体収納部内に配置される開閉機の位置を、収納部内の底面上とすることで、この開閉機に対して、建物開口側から容易に手の届く位置となり、メンテナンス作業を行い易くする効果を得られる。特に、正面とガイドレールとを脱着可能な構造とすることで、開閉体収納部内に対する開閉機の出し入れ等の作業を容易に行うことが可能となる。
【図面の簡単な説明】
【００３１】
【図１】本発明による電動巻取式開閉装置の構造の一実施の形態を示す概略側断面図
【図２】同電動巻取式開閉装置の一部拡大斜視図
【図３】同電動巻取式開閉装置の一部拡大分解斜視図
【図４】同電動巻取式開閉装置を構成する開閉機の側面図
【図５】同電動巻取式開閉装置の各部配置位置関係を示す概念図
【図６】（ａ）他の実施の形態の電動巻取式開閉装置の各部配置位置関係を示す概念図  （ｂ）他の実施の形態の電動巻取式開閉装置の各部配置位置関係を示す概念図
【図７】他の実施の形態の電動巻取式開閉装置の構造を示す概略側断面図
【図８】同電動巻取式開閉装置の一部拡大斜視図
【図９】同電動巻取式開閉装置の各部配置位置関係を示す概念図
【発明を実施するための形態】
【００３２】
図１は本発明による電動巻取式開閉装置の構造の一実施の形態を示す概略側断面図である。
本実施の形態の電動巻取式開閉装置は、開閉体が、左右方向に長尺な短冊板状のスラットを上下方向に多数連結して構成される構造のシャッターカーテンとされ、このシャッターカーテンを上下に昇降移動して開閉が行われる所謂電動シャッターとされる。この電動シャッター１は、住宅やビルなどの建物などの躯体の開口部に配置される。この開口部は、シャッターカーテンなどの開閉体によって閉鎖、仕切り、区画等、空間を分かつための部分であり、例えば、住宅などの場合には窓部に相当する部分等である。そして、この電動シャッター１は、開口部を構成する部分におけるいずれか一方の面、例えば屋内と屋外を分かつ場合であれば、屋内側若しくは屋外側のいずれかの面に配置される。
本実施の形態では、住宅等の建物躯体の開口部である窓部２における屋外側に配置される例として説明する。
【００３３】
電動シャッター１を構成する開閉体収納部としてのシャッターケース３は、窓部分２の一側縁である上縁に配設され、略短冊矩形状の天面となる天板５，建物である躯体側とされ屋内側となり背面となる背板７，開口部側である閉鎖方向側の面となり底面となる底板９，及び略矩形状の左右側面となる左右側板１１により屋外側となる前方が開口した略長方箱状に形成されているとともに、屋外側の前方開口部分を閉塞する正面となる正面板としての外装ケース１３が脱着自在または開閉自在に取り付けられている。
【００３４】
本実施の形態では、外装ケース１３は、躯体側であり屋内側となる後方が開口した略箱状に形成されているとともに、上縁に係止片１４が突設され、下縁に固定片１５が延設されている。
【００３５】
そして、この外装ケース１３は、上縁の係止片１４が天板５の前端縁に形成される嵌合凹部１６に嵌入して係合し、下縁の固定片１５が左右ガイドレール１７にネジなどの固定手段（図示せず）にて固定され、すなわち、脱着自在とされている。
【００３６】
また、底板９と外装ケース１３の底板部１３ａとの間にはスリット状の開口２１が形成され、シャッターカーテン１９が出入りする。開口２１の左右端部にはそれぞれガイドレール１７の上端が接続される。
【００３７】
屋外側からみて最奥部となる背板７と底板９との接合部分である内隅部２３には、後述する開閉機３５が取り付けられる。本実施の形態では、シャッターケース３の底板９を配置面とされて開閉機３５が配設されるが、この内隅部２３に略Ｌ字状に形成されるブラケット２５が配設され、すなわちこのブラケット２５を介して開閉機３５がシャッターケース３に配設される。このブラケット２５は、図２に示すように、開口２１側の前端縁２５ａが上向きに折曲形成され、上端縁２５ｂが開口２１側に延出するように折曲形成されている。
【００３８】
なお、左右の各ガイドレール１７は、下端にて水切枠２７で連結される。
【００３９】
左右の側板１１には、対向する内面にそれぞれ軸受（図示せず）が配設されている。これら軸受は巻取軸２９の端部を支持しており、この巻取軸２９をシャッターケース３内にて水平に渡設する。この巻取軸２９には一端側に従動スプロケット３０が固設されている。なお、各軸受は、左右側板１１の板面における略中央に位置して設けられる。
【００４０】
また、巻取軸２９には、シャッターカーテン１９の上端が連結され、すなわち巻取軸２９が回転することでシャッターカーテン１９を巻き取るようになる。
【００４１】
なお、本実施の形態では、このシャッターカーテン１９の巻取方向は、屋外側となるシャッターカーテン１９の一方の面が巻取状態で外周面となる所謂内巻とされ、巻取方向が屋内（躯体）側へ向かう（図１中時計回り方向）ようになっている。
【００４２】
また、従動スプロケット３０が設けられる巻取軸２９の一端側を支持する側板１１内面には、軸受の斜め下方に位置し、この軸受に略並列して軸継手３３を備えた従動スプロケット３０よりも小径の小スプロケット３１が回動自在に軸支されている。
【００４３】
この小スプロケット３１は、図３に示すように、基板１２を介して側板１１の内面に設けられる。この基板１２には、板面に対して突設された軸３４を有し、この軸３４に小スプロケット３１が回動自在に取り付けられる。
【００４４】
また、この小スプロケット３１と略一体構造とされた軸継手３３は、図３に示すように、端部外周面に複数の凹部３３ａ、例えば、互いに等間隔に形成される略扇形状の凹部が形成されている。
【００４５】
そして、この小スプロケット３１は、従動スプロケット３０とともに、シャッターケース３内における側板１１の板面に沿うチェーン３２が巻回され、このチェーン３２を介して連動するようになっている。
【００４６】
なお、基板１２は、側板１１に対して固定する際に、従動スプロケット３０と小スプロケット３１とに巻回されるチェーン３２の張設具合を見て固定される。また、従動スプロケット３０の設けられる巻取軸２９の一端は、後述する開閉機３５の設置位置に対応させ、すなわち、建物（躯体）に配設される電動シャッター１としての左右勝手に合わせて適宜変更させ、例えば、開閉機３５の位置が、電動シャッター１の正面視で右方であれば、右方である一端側にそれぞれを構成させる。
【００４７】
開閉機３５は、少なくとも電動モータを備えた構造物であり、駆動源を構成するものである。
本実施の形態では、この電動モータと、その他の部材、例えば、減速ギア部と、ブレーキ機構部と、制御部などとともにユニット構成されている。そして、これら各部がケース３６内に構成される。
なお、開閉機３５は、ユニット構成された開閉機の構成部材が比較的容易に相互分解・組立が可能な構成とされていてもよく、この場合において開閉機を分解して脱着する場合でも、それぞれの開閉機の構成部材は、開閉体１９が最大巻径Ｄｍの状態であるときには脱着できない配置となっている。
【００４８】
ケース３６は、本実施の形態では、図１及び図２に示すように、側部の一対の稜部が約４５°の面取り角にて面取り形成されて一対の傾斜面を形成し、略六角柱形状に形成されている。
【００４９】
また、このケース３６には、図４に示すように、取付ブラケット３７が設けられる。
取付ブラケット３７は、中途が屈曲形成された板状部材で、基端側３７ｂがケース３６上面に固定され、中途部分がケース３６の一方の傾斜面に沿って斜め下方に延出し、さらに先端縁が垂下方向に延出形成されて取付片３７ａとされている。
【００５０】
そして、この開閉機３５は、シャッターケース３内における屋内側となり最奥部となる背板７と底板９との接合部分の内隅部２３に配設されたブラケット２５上に、長手方向を巻取軸２９の軸線方向と平行、すなわち開閉機３５の出力軸の軸線方向と巻取軸２９の軸線方向とが平行に並列状態となり、かつ、上記一方の傾斜面が巻取軸２９の周面に向き合い配置される。
【００５１】
この開閉機３５のブラケット２５への取付状態は、図４に示すように、ブラケット２５の上端縁２５ｂの下面に取付ブラケット３７の基端３７ｂが当接状態となり、すなわちブラケット２５の底板と上端縁２５ｂとの間に開閉機３５が略挟持状態となるように配置され、ブラケット２５の前端縁２５ａの前面に取付ブラケット３７の取付片３７ａを当接状態として、これら前端縁２５ａと取付片３７ａとをネジなどの固定部材４１を用いて取り付けるようになっている。すなわち、固定部材４１の脱着により、開閉機３５はブラケット２５からの脱着を可能としている。この脱着の際には、シャッターケース３の底板９に沿って開閉機３５のブラケット２５への脱着が行われ、シャッターケース３の前方開口部分からの作業にて行えるようになる。
【００５２】
開閉機３５の出力軸には、連結部３９が設けられている。この連結部３９は、上述した小スプロケット３１の軸継手３３に嵌合して連結されるようになっている。すなわち、連結部３９は、図３に示すように、略円板状の端面に複数の凸部３９ａ、例えば、互いに等間隔に形成される略扇形状の凸部が形成されており、これら凸部３９ａと、軸継手３３の凹部３３ａとが互いに軸線方向を一致させて嵌合しあい、開閉機３５の出力軸と小スプロケット３１とを連動連結させるようになっている。
【００５３】
そして、制御部からの駆動信号により電動モータが回転駆動し、その回転駆動力が連結部３９，軸継手３３，小スプロケット３１を介してチェーン３２を駆動し、従動スプロケット３０を回転させて、上記巻取軸２９を回動させるようになっている。
【００５４】
なお、開閉機３５の連結部３９と軸継手３３とは、上記したように軸線方向に互いに嵌め合うことで回転を伝達する連結構造であり、すなわち側板１１側に設けられる軸継手３３に対し、開閉機３５をブラケット２５上で軸線方向にスライドさせることで、脱着される構造とされる。
【００５５】
次に、上述した各部の配置位置について図５を参照して説明する。
まず、シャッターカーテン１９の昇降をガイドする両ガイドレール１７は、建物外壁Ｗと略面一となり、シャッターカーテン１９が屋外に面するように配置される。
【００５６】
シャッターケース３は、建物開口２部分の上縁に位置し、本実施の形態ではこのシャッターケース３を構成する正面板である外装ケース１３を除く天板５，背板７，底板９の部分が建物壁の厚さＤｗ内に納まり、すなわち、天板５及び底板９の前端縁が建物外壁側となって配置される。
【００５７】
シャッターケース３を構成する天板５，背板７，外装ケース１３の各部の位置は、それぞれの内側面部が、左右側板１１に両端を支持される巻取軸２９の中心軸線Ｏの位置に対し、シャッターカーテン１９を全て巻き取った状態（開口部（窓部）２を全て開放した状態）である最大巻径Ｄｍに所定のクリアランスＣ、例えば１０ｍｍの間隙を加えた距離、すなわちシャッターカーテン１９の最大巻径ＤｍにクリアランスＣを加えた外径線Ｄｃ上に位置し、この外径線Ｄｃの上方頂点Ｕに位置して天板５の内側面部が位置し、外径線Ｄｃの後方頂点Ｂに位置して背板７の内側面部が位置し、外径線Ｄｃの前方頂点Ｆに位置して外装ケース１３の内側面部が位置するようにそれぞれ構成される。
【００５８】
また底板９の位置は、背板７と底板９との接合部分である内隅部２３に取り付けられる開閉機３５が、最大巻径ＤｍにクリアランスＣを加えた外径線Ｄｃ上に、ケース３６若しくは取付ブラケット３７の表面が位置する状態での位置となり、巻取中心Ｏを通り、垂下方向に延びる線Ｌｏ上であって最大巻径Ｄｍより下方となって、シャッターカーテン１９の最小巻径Ｄｓの下端から所定の挿通間隙Ｉを有して内側面部が位置するように設定される。なお、最小巻径Ｄｓとは、開口部（窓部）２を全て閉鎖した状態で、シャッターカーテン１９を繰り出した状態である。
【００５９】
すなわち、シャッターケース３としての奥行き長さＤｂは、シャッターカーテン１９の最大巻径Ｄｍに前方と後方のクリアランスＣを加えた長さになり、またシャッターケース３の高さＤｈは、シャッターカーテン１９の最大巻径Ｄｍの半径分（Ｄｍ／２）に上方のクリアランスＣを加え、かつ最小巻径Ｄｓの半径分（Ｄｓ／２）に挿通間隙Ｉを加えた長さとされる。
なお、上記した各クリアランスＣは、シャッターカーテン１９やその巻径、シャッターケース３の各部の形状・寸法等の特性や取付等による誤差やズレ等の諸事情・条件を勘案して設定される所定の寸法であり、なるべく小さく設定することが好ましい。
【００６０】
底板９上に設定される挿通間隙Ｉは、シャッターケース３内に配置される開閉機３５が、通過可能な間隙長さとされ、すなわち開閉機３５の高さ寸法Ｈｍより長く、また、シャッターカーテン１９を巻き取った際の最大巻径Ｄｍとされた場合での底板９とシャッターカーテン１９との間隙長さＳは開閉機３５の高さ寸法Ｈｍより小さく、この開閉機３５が容易に取り出せない間隔長さに設定される。この最大巻径Ｄｍでの底板９とシャッターカーテン１９との間隙長さＳは、開閉機３５の配置により生ずる間隔、別言すると、開閉機３５の形状や大きさにより必要となる間隙長さでもあり、また、シャッターケース３内に配置された状態での開閉機３５に対してメンテナンス作業を行うことの可能な、すなわち、点検等の作業のためにメンテナンス作業者の手や工具等を通過させることの可能な間隙長さでもあり、好ましくは、この間隙長さＳを有した構成とされる。
【００６１】
なお、シャッターカーテン１９を巻き取った際の最大巻径Ｄｍとされた場合でのシャッターカーテン１９と底板９との間隙長さＳは、より小さく、例えば最大巻径Ｄｍの下方のクリアランスＣと同等の長さに設定することで、シャッターケース３の高さＤｈを最小な構成とすることが出来る。すなわち、図６（ａ）に示すように、底板９と背板７との内隅部２３に位置して外径線Ｄｃより外方となり、最小巻径Ｄｓによる挿通間隙Ｉの範囲内となる外形状の開閉機３５（図中斜線部分）を構成することでシャッターケース３である開閉体収納部としての最小の構成を得ることができる。
【００６２】
また、シャッターケース３を構成する背板７の形状、すなわち開閉体収納部としての背面の形状が、図６（ｂ）に示すように、略平面状でなく底板９側の奥行き長さＤｂを建物壁の厚さＤｗ内で十分に長尺に形成し、内隅部２３を屋内側に近接させて構成することで、開閉機３５の外形状（図中斜線部分）に対応しながらもシャッターケース（開閉体収納部）３としての高さＤｈを最小に構成することが可能である。
【００６３】
また、ガイドレール１７の配設位置は、上記したように建物外壁Ｗと略面一な位置に設定されるとともに、図５に示すように、巻取軸２９に対する配置位置として、巻取中心Ｏを通る垂線Ｌｏとシャッターカーテン１９の最大巻径Ｄｍの前方頂点Ｆａを通る垂線Ｌｆとの間Ｐ１とされ、好ましくは最大巻径Ｄｍの前方頂点Ｆａを通る垂線Ｌｆと最小巻径Ｄｓの前方頂点Ｆｂを通る垂線Ｌｓとの間Ｐ２とされて、シャッターケース３の背板７からの距離が、底板９の奥行き長さＥと略同一とされる位置に設定される。そして、ガイドレール１７上端の導入口１７ａが底板９より上方に延びシャッターケース３内に位置する。
【００６４】
なお、本実施の形態の電動シャッター１は、図１に示すように、窓部分２に配設されるサッシ窓５０の枠体とともにユニット化されている。
【００６５】
すなわち、電動シャッター１を構成するシャッターケース３の底板９下面に、サッシ枠の上枠５１が固設され、また左右の縦サッシ枠５２に左右ガイドレール１７が外枠５３を介して略一体となるように構成され、さらにサッシ枠の下枠５４と電動シャッター１の水切枠２７とが一体構成とされる。
【００６６】
また、左右のガイドレール１７は、左右各外枠５３に対し、脱着自在に設けられており、メンテナンス時などに各ガイドレール１７が取り外せるようになっている。
【００６７】
そして、この電動シャッター１での、メンテナンス時には、まず、シャッターケース３の外装ケース１３を取り外す。この外装ケース１３は、下縁の固定片１５を固定している固定部材を取り外した後、この固定片１５側を上方へ回動させるように持ち上げ（図１中一点鎖線）、その後に上縁の係止片１４を抜脱することで取り外す。
【００６８】
次に、左右のガイドレール１７を取り外して、シャッターカーテン１９を所定長さ巻き戻し、底板９とシャッターカーテン１９の巻取外径の下縁との間に十分な間隙、すなわち開閉機３５が通過可能な間隙（図５中Ｉ）を形成させ、下端縁が自由になっているシャッターカーテン１９を捲くり上げるように屋外側へ持ち上げて、屋外側から間隙間に手を延ばしてシャッターケース３内の開閉機３５を取り出すことでメンテナンス等の作業を行う。
【００６９】
この開閉機３５の取り出し手順としては、ブラケット２５の前端縁２５ａと取付ブラケット３７の取付片３７ａとを固定している固定部材４１を外し、互いの固着状態を解除し、次に、開閉機３５をブラケット２５上で軸線方向にスライドさせて開閉機３５の連結部３９と軸継手３３との嵌合状態を解除し、その後、ブラケット２５から開閉機３５をシャッターケース３の底板９に沿ってシャッターケース３の前方開口部分へと移動させることで取り出す。
【００７０】
従ってこのように構成された電動シャッターの構造によれば、シャッターケース３を構成する、天板５，背板７，底板９，外装ケース（正面板）１３の各配置位置と、このシャッターケース３内に配置される開閉機３５の位置、これら各部とシャッターカーテン１９を巻き取る巻取軸２９との位置、及びシャッターカーテン１９の開閉を案内する左右ガイドレール１７の配置位置とを上述のように構成させたので、シャッターケース３内のデッドスペースである無駄な容積部分が縮小でき、巻取軸２９や開閉機３５を収納するシャッターケース３の外形状を小型化することが可能となり、すなわちシャッターケース３の縦寸法Ｄｈ及び奥行き寸法Ｄｂを縮減させることが可能となる。
【００７１】
また、シャッターカーテン１９の巻取方向を内巻として屋内側方向に設定したことから、ガイドレール１７に対するシャッターケース３の突出方向を屋内側方向とすることとなる。
【００７２】
これにより、建物外壁Ｗに対して、シャッターケース３は、その外壁の厚さＤｗ内に大半が位置するようになり、外壁Ｗからの突出長さが削減され、本実施の形態では外装ケース１３のみとなり、建物外観としての見栄えが良好となるとともに、シャッターケース３の大きさが小型化されたことから、窓部分２等の建物開口部分への配設状態がコンパクトになり、この開口部分２を大きく塞ぐような圧迫感のある構造にならずに、シャッターの機能を窓部分に付設させることが可能となる。
【００７３】
また、シャッターケース３内に配置される開閉機３５の位置が、ケース３内の底板９上であることから、容易に手の届く位置でありメンテナンス作業が行い易く、特に、正面板となる外装ケース１３とガイドレール１７とを脱着可能な構造としたので、シャッターケース３内に対する開閉機３５の出し入れを容易に行うことが可能となる。
【００７４】
さらに、上記のような配置構成によれば、シャッターカーテン１９を巻き取る位置に対するシャッターカーテン１９をガイドレール１７に導く導入口１７ａの位置が、開閉機３５の高さ寸法Ｈｍが考慮された配置関係となる構成であるので、シャッターカーテン１９の最大巻径Ｄｍの位置から導入口１７ａを結ぶ移動軌跡線（図５中Ｇ１）と最小巻径Ｄｓの位置から導入口１７ａを結ぶ移動軌跡線（図５中Ｇ２）とによる角度θが浅くなり、これにより導入口１７ａへのシャッターカーテン１９の移動がスムーズなものとなる。
【００７５】
なお、上述した実施の形態では、シャッターカーテン１９の巻取方向が、屋外側となるシャッターカーテン１９の一方の面が巻取状態で外周面となる所謂内巻とされ、巻取方向が屋内側に向かう構成として説明したが、開閉体であるシャッターカーテン１９の巻取方向が、屋外側となるシャッターカーテン１９の一方の面が巻取状態で内周面となる所謂外巻とされ、巻取方向が屋外側に向かう構成（図７中反時計回り方向）とされる電動シャッター（電動巻取式開閉装置）としてもよい。
【００７６】
この外巻構成の電動シャッター１’の場合、図７に示すように、シャッターケース３の左右側板１１に支持される巻取軸２９の巻取中心に対して屋内（躯体）側からシャッターカーテン１９がガイドレール１７に導かれるよう構成されている。すなわち、この電動シャッター１’の場合では、巻取軸２９に対するシャッターカーテン１９の移動軌跡の位置が、巻取軸２９の巻取中心に対して屋内（躯体）側であって、かつ底板９側であり、すなわち、巻取軸２９に対するシャッターケース３の内隅部２３にやや近接する構造となる。
【００７７】
また、この例の電動シャッター１’では、上述した実施の形態の電動シャッター１と同様に、シャッターケース３の内隅部２３に位置して開閉機３５が配置される。この開閉機３５の配置位置は、シャッターケース３を構成する背板７と底板９との接合部分である内隅部２３であって、シャッターケース３の屋外側からの最奥部に位置して脱着自在に取り付けられる。
【００７８】
なお、この電動シャッター１’では、図７に示すように、底板９と背板７との接合部分である内隅部２３に、上述した実施の形態と同様に開閉機３５が配置されるが、図８に示すように、背板７の内面に設けられる略Ｌ字状の支持ブラケット４２と、スリット状開口２１の後縁に折曲形成される支持片４３とに取り付けられるようになっている。
【００７９】
すなわち、図８に示すように、開閉機３５のケース３６は、上記した実施の形態と同様に、側部の一対の稜部が約４５°の面取り角にて面取り形成されて一対の傾斜面を形成し、略六角柱形状に形成され、このケース３６には、中途が屈曲形成された板状部材よりなる取付ブラケット３７が設けられる。取付ブラケット３７は、基端側３７ｂがケース３６上面に固定され、中途部分がケース３６の一方の傾斜面に沿って斜め下方に延出し、さらに先端縁が垂下方向に延出形成されて取付片３７ａとされている。そして、この開閉機３５は、シャッターケース３内における屋内側となり最奥部となる背板７と底板９との接合部分の内隅部２３に、長手方向を巻取軸２９の軸線方向と平行、すなわち開閉機３５の出力軸の軸線方向と巻取軸２９の軸線方向とが平行に並列状態となって配置される。
【００８０】
この開閉機３５の取付状態は、図７に示すように、支持ブラケット４２の下面に取付ブラケット３７の基端３７ｂが当接状態となり、すなわち支持ブラケット４２と底板９との間に開閉機３５が略挟持状態となるように配置され、支持片４３の前面に取付ブラケット３７の取付片３７ａを当接状態として、これら支持片４３と取付片３７ａとをネジなどの固定部材４１を用いて取り付けるようになっている。すなわち、固定部材４１の脱着により、開閉機３５の脱着を可能としている。この脱着の際には、シャッターケース３の底板９に沿って開閉機３５の脱着が行われ、シャッターケース３の前方開口部分からの作業にて行えるようになる。
【００８１】
なお、支持片４３と取付片３７ａとの固定の際に、シャッターケース３の底板９の下面に位置するサッシ上枠５１とともに固定することとしてもよく、例えば、このサッシ上枠５１に上方へ延出される固定片５１ａなどを突出形成し、この固定片と、上記支持片４３及び取付片３７ａとをともにネジなどの固定部材４１にて固定させる構造とすることで、ユニット構造を得ることとなる。
【００８２】
また、開閉機３５の出力軸には、上記実施の形態と同様に、連結部３９が設けられ、小スプロケット３１の軸継手３３に軸方向より嵌合して連結されるようになっている。
【００８３】
そして、この外巻構成の電動シャッター１’の場合では、各部の配置位置を、好ましくは、図９に示すような構成とする。
すなわち、シャッターケース３を構成する天板５，背板７，外装ケース１３の各部の位置は、それぞれの内側面部が、左右側板１１に両端を支持される巻取軸２９の中心軸線Ｏの位置に対し、シャッターカーテン１９を全て巻き取った状態である最大巻径Ｄｍに所定のクリアランスＣ、例えば１０ｍｍの間隙を加えた距離、すなわちシャッターカーテン１９の最大巻径ＤｍにクリアランスＣを加えた外径線Ｄｃ上に位置し、この外径線Ｄｃの上方頂点Ｕに位置して天板５の内側面部が位置し、外径線Ｄｃの後方頂点Ｂに位置して背板７の内側面部が位置し、外径線Ｄｃの前方頂点Ｆに位置して外装ケース１３の内側面部が位置するようにそれぞれ構成される。
【００８４】
また底板９の位置は、背板７と底板９との接合部分である内隅部２３に取り付けられる開閉機３５が、最大巻径ＤｍにクリアランスＣを加えた外径線Ｄｃ上に、ケース３６若しくは取付ブラケット３７の表面が位置する状態での位置となり、巻取中心Ｏを通り、垂下方向に延びる線Ｌｏ上であって最大巻径Ｄｍより下方となって、シャッターカーテン１９の最小巻径Ｄｓの下端から所定の挿通間隙Ｉを有して内側面部が位置するように設定される。
【００８５】
すなわち、シャッターケース３としての奥行き長さＤｂは、シャッターカーテン１９の最大巻径Ｄｍに前方と後方のクリアランスＣを加えた長さになり、またシャッターケース３の高さＤｈは、シャッターカーテン１９の最大巻径Ｄｍの半径分（Ｄｍ／２）に上方のクリアランスＣを加え、かつ最小巻径Ｄｓの半径分（Ｄｓ／２）に挿通間隙Ｉを加えた長さとされる。
【００８６】
底板９上に設定される挿通間隙Ｉは、シャッターケース３内に配置される開閉機３５が、通過可能な間隙長さとされ、すなわち開閉機３５の高さ寸法Ｈｍより長く、また、シャッターカーテン１９を巻き取った際の最大巻径Ｄｍとされた場合での底板９とシャッターカーテン１９との間隙長さＳは開閉機３５の高さ寸法Ｈｍより小さく、この開閉機３５が容易に取り出せない間隔長さに設定される。なお、開閉機３５は、シャッターカーテン１９のシャッターケース３内での移動軌跡に干渉しない位置に配置される。
【００８７】
また、ガイドレール１７の配設位置は、例えば建物外壁Ｗと略面一な位置に設定されるとともに、図９に示すように、巻取軸２９に対する配置位置として、巻取中心Ｏを通る垂線Ｌｏとシャッターカーテン１９の最大巻径Ｄｍの後方頂点Ｂａを通る垂線Ｌｂとの間Ｐ１とされ、好ましくは最小巻径Ｄｓの後方頂点Ｂｂを通る垂線Ｌｃと巻取中心Ｏを通る垂線Ｌｏとの間Ｐ２とされる。そして、ガイドレール１７上端の導入口１７ａが底板９より上方に延びシャッターケース３内に位置する。
【００８８】
このような外巻構成の電動シャッター１’によれば、上述した内巻構成の電動シャッター１と同様に、外装ケース１３を取り外し、屋外側からシャッターケース３内の開閉機３５を取り外してメンテナンス等を行うことが可能となる。
【００８９】
そして、この電動シャッター１’の構造によれば、シャッターケース３を構成する、天板５，背板７，底板９，外装ケース（正面板）１３の各配置位置と、このシャッターケース３内に配置される開閉機３５の位置、これら各部とシャッターカーテン１９を巻き取る巻取軸２９との位置、及びシャッターカーテン１９の開閉を案内する左右ガイドレール１７の配置位置とを上述のように構成させたので、シャッターケース３内のデッドスペースである無駄な容積部分が縮小でき、巻取軸２９や開閉機３５を収納するシャッターケース３の外形状を小型化することが可能となり、すなわちシャッターケース３の縦寸法Ｄｈ及び奥行き寸法Ｄｂを縮減させることが可能となる。
【００９０】
特に、シャッターカーテン１９の巻取方向を外巻として設定したことから、図９に示すように、外壁Ｗの屋外側に巻取軸２９の中心が位置することとなるが、開閉機３５の配置位置、シャッターカーテン１９の移動軌跡のそれぞれの位置関係が、外壁Ｗよりも屋内側に配置されることとなる。よって、表出される部分は、シャッターケース３を構成する外装ケース１３のみとすることができ、すなわち、シャッターケース３としての正面側である外装ケース１３の形状を、上記した外径線Ｄｃに沿う湾曲面にて構成するなど見栄えの良い省スペース化を考慮された形状に構成可能となる。
【００９１】
そして、シャッターケース３の大きさが小型化されることから、窓部分２等の建物開口部分への配設状態がコンパクトになり、この開口部分２を大きく塞ぐような圧迫感のある構造にならずに、シャッターの機能を窓部分に付設させることが可能となる。また、シャッターケース３内に配置される開閉機３５の位置が、ケース３内の底板９上であることから、容易に手の届く位置でありメンテナンス作業が行い易くなる。
【００９２】
また、上述した各実施の形態では、開閉体をスラットを連結して構成されるシャッターカーテン１９とし、電動巻取式開閉装置をこのシャッターカーテン１９を具備する電動シャッター１，１’とした例を示したが、開閉体としては、上記したスラットよりなるシャッターカーテン１９の他に、多数のパネル材を連接して構成されるパネルカーテンや、多数のパイプ材をリンク部材にて連接して構成されるグリルカーテン、シート材よりなるカーテン、ネット材よりなるカーテン、さらにはこれらカーテンが組み合わされて構成される複合カーテンなどとしてもよく、またブラインドカーテンやスクリーンカーテンとしてもよく、電動巻取式開閉装置としては、上記した種々のカーテンを具備する、例えばパネルシャッター装置や、グリルシャッター装置、ロールブラインド装置やロールカーテン装置、ロールスクリーン装置、ロールオーニング装置としてもよい。
【００９３】
また、上述した各実施の形態では、開閉体としてのシャッターカーテン１９が、建物開口２の上縁にて巻回されて収納され、建物開口に対して上方より降下することでこの開口を閉鎖するように、すなわち開閉体１９の開閉方向が、上下方向とされ、昇降することで開口を開閉する構成とした例について述べたが、この開閉体による建物開口に対する開閉の方向は、これに限定されることはなく、左右方向としてもよく、また下方から開閉を行う構成としてもよい。
【００９４】
例えば、開口部の下縁を一側縁として開閉体収納部が配設され、この開口部の下部に位置する開閉体収納部に、シャッターカーテンなどの開閉体が巻取収納されて、上昇することで開口部の閉鎖を行う開閉装置、所謂上昇閉鎖式開閉装置にも適用が可能である。そしてこの構成の場合、開閉機の配設位置は、開閉体収納部の躯体側（屋内側）で、かつ開閉体の閉鎖方向側とされ、例えば開閉体収納部の背板と天板との接合部分である内隅部に配置させる。
【００９５】
また、開口部の右側縁或いは左側縁を一側縁として開閉体収納部が配設される構成としてもよく、すなわち、シャッターカーテンなどの開閉体が左右横方向に移動することで開閉となる開閉装置、所謂横引きシャッター装置などの横引き式開閉装置にも適用できる。この場合、開閉機の配設位置は、開閉体収納部の躯体側（屋内側）で、かつ開閉体の閉鎖方向側とされ、例えば開閉体収納部の背板と側板との接合部分である内隅部、例えば開口部の右側縁に開閉体収納部を配設する場合には、背板と左側板との内隅部とし、また開口部の左側縁に開閉体収納部を配設する場合には、背板と右側板との内隅部に開閉機が配置される構成とする。
【００９６】
さらに、上述の実施の形態では、建物開口として窓部２とした例であり、すなわち、略垂直な壁面に開口形成される開口部分に対して開閉体であるシャッターカーテン１９が開閉動作を行う例として説明したが、この建物開口は、水平面や傾斜面に形成されることとしてもよく、すなわち、開閉体の開閉方向が、水平方向や傾斜方向とされて構成されてもよい。
【００９７】
さらに、上述した実施の形態では、開閉体としてのシャッターカーテン１９を巻回状態で収納する開閉体収納部３として、天板５、背板７、正面板１３、底板９、側板１１の各板状部材で略長方箱状に形成されるシャッターケース３にて構成する例について述べたが、この開閉体収納部３としては、シャッターカーテンなどの開閉体１９を巻き取り、巻回状態で収納可能な空間部分とされればよく、例えば、建物の壁面の一部に形成される空間を収納部分として形成する構造としてもよく、すなわち、空間部分に巻回状態の開閉体１９を覆い隠すように収納できれば、建物躯体の窪み部分や凹状部分、若しくは、これら空間に蓋状の被覆部材を組み合わせた構造としてもよい。このような構造の場合においても、上述した実施の形態で述べたように、開閉機の位置及び巻回状態とされる開閉体の位置を、それぞれ配置することで、上記同様に効果を得られる。
【００９８】
また、上述した実施の形態では、開閉体収納部としてのシャッターケース３の形状が、断面略矩形箱状とされているが、このシャッターケース（開閉体収納部）の形状は任意であり、多角形状、略多角形状等に形成されていればよく、少なくとも躯体側（屋内側）に内隅部が形成される形状であればその他の形状として構成しても良い。好ましくは、建物（躯体）の開口部の一側縁となる例えば上記したサッシ上枠の直上部分等の開閉体（シャッタカーテン）１９の閉鎖方向側に内隅部が形成される形状がよい。
【００９９】
さらに、上述した実施の形態では、開閉機３５の外形状を略六角柱形状とした例について説明したが、この開閉機３５の外形状はこれに限らず、略四角柱形状などの多角形柱状などとしてもよく、シャッターケース３内にてシャッターカーテン（開閉体）１９などと干渉しない形状であれば、その他の形状に形成されることとしてもよい。
【０１００】
また、この開閉機３５のシャッターケース３内における配置状態について、開閉機３５が、背板７と底板９との内隅部２３に沿い、各板７，９に略密着状態とされている例として説明したが、各板７，９に対し必ずしも密着状態とされていなくともよく、例えば通線のための間隙を設けてやや斜めに配置する構成としてもよく、また、いずれかの板面（背板７或いは底板９）に対して所定の間隙を有して配置する構成としてもよい。
【０１０１】
さらに、上述した実施の形態では、シャッターカーテン１９などの開閉体を巻き取る巻取軸２９が、シャッターケース３内にて軸受を介して両端が支持される構成とされており、巻取中心としての軸心がシャッターケース３内において移動することのない構成であるが、この巻取軸２９の軸心が移動しない構造の場合、上述したように、最小巻径Ｄｓの状態と最大巻径Ｄｍの状態のそれぞれの移動軌跡線Ｇ１，Ｇ２（図５参照）による角度θが発生することとなり、すなわちシャッターカーテン（開閉体）１９のガイドレール１７への導入に角度が生じるが、この角度θを極力発生させないように、巻取中心を移動させる構成、すなわち、巻取軸２９によるシャッターカーテン（開閉体）１９の巻き取り，巻き戻しの動作時に、巻取軸２９に巻回されているシャッターカーテン１９とガイドレール１７の導入口１７ａとを結ぶ移動軌跡線が常に真直若しくは略真直となるようにガイドレール１７の延長線上に位置させる構成としてもよい。この場合、巻取軸２９は、シャッターカーテンの巻き取り，巻き戻しの回動に伴って、シャッターケース内を移動するよう構成され、すなわち、最大巻径の状態では巻取軸２９の軸心がガイドレール導入口より離れた位置となり、最小巻径の状態では巻取軸２９の軸心がガイドレール導入口に近接する位置となるように、例えば巻取軸２９の回転に伴って転動する構成や、巻取軸２９の両端を支持する軸受がスライド移動する構成とする。
【符号の説明】
【０１０２】
１，１’…巻取式開閉装置（電動シャッター）
２…開口部（窓部）
３…開閉体収納部（シャッターケース）
５…天面（天板）
７…背面（背板）
９…底面（底板）
１３…正面（正面部，外装ケース）
１７…ガイドレール
１７ａ…導入口
１９…開閉体（シャッターカーテン）
２３…内隅部
３５…開閉機
Ｂ…後方頂点
Ｃ…クリアランス
Ｄｂ…開閉体収納部（シャッターケース）の奥行き長さ
Ｄｃ…外径線
Ｄｈ…開閉体収納部（シャッターケース）の高さ
Ｄｍ…最大巻径
Ｄｓ…最小巻径
Ｆ…前方頂点
Ｉ…挿通間隙
Ｌｆ…垂線
Ｌｏ…垂線
Ｏ…巻取中心
Ｗ…外壁
【図１】
2011058363.tif 000003
【図２】
2011058363.tif 000004
【図３】
2011058363.tif 000005
【図４】
2011058363.tif 000006
【図５】
2011058363.tif 000007
【図６】
2011058363.tif 000008
【図７】
2011058363.tif 000009
【図８】
2011058363.tif 000010
【図９】
2011058363.tif 000011
【手続補正書】
【提出日】平成23年1月21日(2011.1.21)
【手続補正１】
【補正対象書類名】特許請求の範囲
【補正対象項目名】全文
【補正方法】変更
【補正の内容】
【特許請求の範囲】
【請求項１】
開口部の上縁側に配置される開閉体収納部内へ電動の開閉機にて開閉体を巻き取って巻回状態に収納する電動巻取式開閉装置の構造において、
前記開閉体収納部の背面と底面とで形成される内隅部の底面上における最奥部となる屋内側に位置して、内部に前記開閉機が収納された開閉機収納ケースが脱着自在に配設され、
前記開閉機収納ケースは、前記開閉体収納部内に巻回状態に収納された開閉体の最大巻径の巻回周面に対面する稜部が面取り形成されて、開閉体の巻回周面に向き合う傾斜面とされていることを特徴とする電動巻取式開閉装置の構造。
【請求項２】
前記開閉体収納部内へ前記電動の開閉機にて開閉体を巻き取る方向が、前記建物の屋外側方向であることを特徴とする請求項１に記載の電動巻取式開閉装置の構造。
【請求項３】
前記開閉体収納部内へ前記電動の開閉機にて開閉体を巻き取る方向が、前記建物の屋内側方向であることを特徴とする請求項１に記載の電動巻取式開閉装置の構造。
【請求項４】
前記開閉機収納ケースは、略角柱形状とされ、前記開閉体収納部内に巻回状態に収納された開閉体の巻回周面に対面する稜部が面取り形成されて、開閉体の巻回周面に向き合う傾斜面とされ、開閉機収納ケースの底面と背面が、前記開閉体収納部の前記内隅部の底面と背面に沿って配置されていることを特徴とする請求項１乃至３に記載の電動巻取式開閉装置の構造。
【請求項５】
前記開閉体収納部の前記内隅部には、内隅部に沿って略Ｌ字状に形成された開閉体収納部側ブラケットが配設され、前記開閉機収納ケースには、基端側が開閉機収納ケースの上面に固定され、中途部分が開閉機収納ケースの前記傾斜面に沿って斜め下方に延出し、さらに斜め下方に延出された先端縁が垂下方向に延出形成されて取付片とされた板状部材よりなる開閉機収納ケース側取付ブラケットが設けられ、開閉機収納ケースが開閉体収納部側ブラケット内に配置された状態で、開閉機収納ケース側取付ブラケットの取付片が開閉体収納部側ブラケットの取付片に固定部材により着脱自在に取り付けられていることを特徴とする請求項１乃至４に記載の電動巻取式開閉装置の構造。
【請求項６】
前記開閉体収納部の正面板は、着脱自在であり、開閉体収納部の底板上に設定される前記開閉機収納ケースの挿通間隔は、開閉機収納ケースの高さ寸法よりも長く、また、前記開閉体の最大巻径での巻回周面と開閉体収納部の底板との間隔長さは開閉機収納ケースの高さ寸法よりも小さく設定されていることを特徴とする請求項１乃至４記載の電動巻取式開閉装置の構造。
【請求項７】
前記開閉体の幅方向両側縁を支持し開閉をガイドするガイドレールの位置が、前記巻取中心を通る垂線と前記最大巻径の後方頂点を通る垂線との間であって、前記開閉体収納部における前記底面に前記ガイドレール上端の導入口が配設されることを特徴とする請求項２に記載の電動巻取式開閉装置の構造。
【請求項８】
前記開閉体の幅方向両側縁を支持し開閉をガイドするガイドレールの位置が、前記巻取中心を通る垂線と前記最大巻径の前方頂点を通る垂線との間であって、前記開閉体収納部における前記底面に前記ガイドレール上端の導入口が配設されることを特徴とする請求項３に記載の電動巻取式開閉装置の構造。
【請求項９】
前記開閉機に対する動力伝達用の軸継手であって、前記開閉体収納部を構成するシャッターケースの側板側に設けられる軸継手に対し、開閉体収納部内の開閉機を、前記開閉体収納部側ブラケットの上で、軸線方向にスライドさせることで、脱着させるようにしたことを特徴とする請求項５乃至８のいずれかに記載の電動巻取式開閉装置の構造。
【手続補正２】
【補正対象書類名】明細書
【補正対象項目名】全文
【補正方法】変更
【補正の内容】
【発明の詳細な説明】
【技術分野】
【０００１】
本発明は、住宅やビルなどの建物における窓部などの開口部分に設置される電動シャッターなどの電動巻取式開閉装置の構造に関するものである。
【背景技術】
【０００２】
住宅やビルなどの窓などの開口部分に配設される電動巻取式開閉装置としての電動シャッターは、開閉体であるシャッターカーテンの巻き取り及び巻き戻しを、巻取軸に連結された電動モータを備える開閉機によって、この巻取軸を回動させることで行うが、この開閉機と巻取軸とは、シャッターカーテンを巻回状態で収納する収納部であるシャッターケース内に配設されるようになっており、これら開閉機と巻取軸とを並列させ、開閉機の出力軸と巻取軸とをチェーンで連結させる構成となっている。そして、シャッターケースは、窓部分などの建物開口の一部をふさぐことのないように、その開口部分の上縁部分に建物外壁に対して突出するように配設される。
【発明の概要】
【発明が解決しようとする課題】
【０００３】
しかしながら、上述した従来の電動シャッターでは、駆動源である開閉機のメンテナンス作業性を考慮した配置構造とされており、収納部分であるシャッターケースの形状が、その作業性をより配慮した設計とされ、すなわち、シャッターケースの内部空間が大きく、結果的にシャッターケースが大型化され、そのためシャッターケース内に多くのデッドスペースを有している場合がある。一方、使用者（ユーザー）の側としては、躯体への納まりを良くしたい、見栄えを良くしたい等の理由から、なるべくシャッターケース等の収納部を小型化して欲しいというニーズがある。
【０００４】
そこで本発明は、上記問題点を解消するために、シャッターケースなどの収納部内に巻回されて収納されるシャッターカーテンなどの開閉体と開閉機との配置関係を改善し、収納部内のデッドスペースを縮減させ、そのスペースをより有効に利用させる構造となる電動巻取式開閉装置の構造を提供することを目的としている。
【課題を解決するための手段】
【０００５】
次に、上記の課題を解決するための手段を、実施の形態に対応する図面を参照して説明する。
この発明の電動巻取式開閉装置の構造は、開口部２の一側縁に配置される開閉体収納部３内へ電動の開閉機３５にて開閉体１９を建物の屋内側方向に巻き取って巻回状態に収納する電動巻取式開閉装置の構造において、
前記開閉体収納部３内における前記開閉体１９の最大巻径Ｄｍの外方に位置するとともに、前記開閉体収納部３内の底面９上における最奥部となる屋内側に位置して前記開閉機３５（開閉機収納ケース３６）が配設されることを特徴としている。
【０００６】
また、この発明の電動巻取式開閉装置の構造は、開口部２の一側縁に配置される開閉体収納部３内へ電動の開閉機３５にて開閉体１９を建物の屋内側方向に巻き取って巻回状態に収納する電動巻取式開閉装置の構造において、
前記開閉体収納部３を構成し屋内側となる背面７と底面９との接合部分における内隅部２３に位置するとともに、前記開閉体１９の最大巻径Ｄｍの外方に例えば所定のクリアランスＣを介して前記開閉機３５（開閉機収納ケース３６）が配設されることを特徴としている。
【０００７】
さらに、この発明の電動巻取式開閉装置の構造は、開口部２一側縁に配置される開閉体収納部３内へ電動の開閉機３５にて開閉体１９を建物の屋内側方向に巻き取って巻回状態に収納する電動巻取式開閉装置の構造において、
前記開閉体１９の最大巻径Ｄｍに所定のクリアランスＣを加えた外径線Ｄｃ上の上方頂点Ｕに位置して天面５が位置するとともに、前記外径線Ｄｃ上の後方頂点Ｂに位置して背面７が位置し、かつ、前記外径線Ｄｃ上の前方頂点Ｆに位置して正面１３が位置するとともに、巻取中心Ｏを通り、垂下方向に延びる線Ｌｏ上であって前記最大巻径Ｄｍより下方となり、最小巻径Ｄｓの下端から所定の挿通間隙Ｉを有して底面９が位置し、少なくとも該底面９と前記背面７との接合部分に内隅部２３を備えて開閉体収納部３が形成され、
前記背面７と前記底面９とで形成される内隅部２３における前記外径線Ｄｃより外方に位置して前記開閉機３５（開閉機収納ケース３６）が脱着自在に配設され、
前記開閉体１９の幅方向側縁を支持し開閉をガイドするガイドレール１７の位置が、前記巻取中心Ｏを通る垂線Ｌｏと前記最大巻径Ｄｍの前方頂点Ｆａを通る垂線Ｌｆとの間であって、前記開閉体収納部３における前記底面９に前記ガイドレール１７上端の導入口１７ａが配設されることを特徴としている。
【０００８】
上記のような構成により、開閉体収納部３を構成する、天面５，背面７，底面９，正面１３の各配置位置と、この開閉体収納部３内に配置される開閉機３５（開閉機収納ケース３６）の位置、これら各部と巻取状態の開閉体１９との位置、及び開閉体１９の開閉を案内するガイドレール１７の配置位置とを上述のように構成させたので、開閉体収納部３内のデッドスペースである無駄な容積部分が縮小でき、開閉体収納部３の外形状を小型化することが可能となり、すなわち開閉体収納部３の縦寸法Ｄｈ及び奥行き寸法Ｄｂを縮減させることが可能となる。これにより、建物等の躯体の外壁に対して、開閉体収納部３は、外壁Ｗからの突出長さが削減され、建物外観としての見栄えが良好となるとともに、開閉体収納部３の大きさが小型化されたことから、窓部分等の建物開口部分２への配設状態がコンパクトになり、この開口部分２を大きく塞ぐような圧迫感のある構造にならずに、巻取式開閉装置の機能を窓部分に付設させることが可能となる。
【０００９】
また、開閉体の巻取方向を内巻として屋内側方向に設定したことから、ガイドレールの位置に対する巻取軸の中心位置が屋内側となり、ガイドレールに対する開閉体収納部の突出方向を屋内側方向とすることとなる。これにより、躯体等の建物外壁に対して、開閉体収納部は、外壁からの突出長さが削減することが可能となる。
【００１０】
さらに、開閉体収納部３内に配置される開閉機３５（開閉機収納ケース３６）の位置が、収納部３内の底面９上であることから、建物開口２側から容易に手の届く位置となり、メンテナンス作業が行い易くなる。
【００１１】
また、この発明の電動巻取式開閉装置の構造は、開口部２の一側縁に配置される開閉体収納部３内へ電動の開閉機３５にて開閉体１９を建物の屋外側方向に巻き取って巻回状態に収納する電動巻取式開閉装置の構造において、
前記開閉体収納部３内における前記開閉体１９の最大巻径Ｄｍの外方に位置するとともに、前記開閉体収納部３内の底面９上における最奥部となる屋内側に位置して前記開閉機３５（開閉機収納ケース３６）が配設されることを特徴としている。
【００１２】
さらに、この発明の電動巻取式開閉装置の構造は、開口部２の一側縁に配置される開閉体収納部３内へ電動の開閉機３５にて開閉体１９を建物の屋外側方向に巻き取って巻回状態に収納する電動巻取式開閉装置の構造において、
前記開閉体収納部３を構成し屋内側となる背面７と底面９との接合部分における内隅部２３に位置するとともに、前記開閉体１９の最大巻径Ｄｍの外方に例えば所定のクリアランスＣを介して前記開閉機３５（開閉機収納ケース３６）が配設されることを特徴としている。
【００１３】
また、この発明の電動巻取式開閉装置の構造は、開口部２一側縁に配置される開閉体収納部３内へ電動の開閉機３５にて開閉体１９を建物の屋外側方向に巻き取って巻回状態に収納する電動巻取式開閉装置の構造において、
前記開閉体１９の最大巻径Ｄｍに所定のクリアランスＣを加えた外径線Ｄｃ上の上方頂点Ｕに位置して天面５が位置するとともに、前記外径線Ｄｃ上の後方頂点Ｂに位置して背面７が位置し、かつ、前記外径線Ｄｃ上の前方頂点Ｆに位置して正面１３が位置するとともに、巻取中心Ｏを通り、垂下方向に延びる線Ｌｏ上であって前記最大巻径Ｄｍより下方となり、最小巻径Ｄｓの下端から所定の挿通間隙Ｉを有して底面９が位置し、少なくとも該底面９と前記背面７との接合部分に内隅部２３を備えて開閉体収納部３が形成され、
前記背面７と前記底面９とで形成される内隅部２３における前記外径線Ｄｃより外方に位置して前記開閉機３５（開閉機収納ケース３６）が脱着自在に配設され、
前記開閉体１９の幅方向側縁を支持し開閉をガイドするガイドレール１７の位置が、前記巻取中心Ｏを通る垂線Ｌｏと前記最大巻径Ｄｍの後方頂点Ｂａを通る垂線Ｌｂとの間であって、前記開閉体収納部３における前記底面９に前記ガイドレール１７上端の導入口１７ａが配設されることを特徴としている。
【００１４】
上記のような構成により、開閉体収納部３を構成する、天面５，背面７，底面９，正面１３の各配置位置と、この開閉体収納部３内に配置される開閉機３５（開閉機収納ケース３６）の位置、これら各部と巻取状態の開閉体１９との位置、及び開閉体１９の開閉を案内するガイドレール１７の配置位置とを上述のように構成させたので、開閉体収納部３内のデッドスペースである無駄な容積部分が縮小でき、開閉体収納部３の外形状を小型化することが可能となり、すなわち開閉体収納部３の縦寸法Ｄｈ及び奥行き寸法Ｄｂを縮減させることが可能となる。これにより、建物外壁に対して、開閉体収納部３は、大きさが小型化され、窓部分等の建物開口部分２への配設状態がコンパクトになり、この開口部分２を大きく塞ぐような圧迫感のある構造にならずに、巻取式開閉装置の機能を窓部分に付設させることが可能となる。
【００１５】
また、開閉体の巻取方向を外巻とした構成としたので、躯体等の建物の外壁の屋外側に巻取軸の中心が位置することとなるが、ガイドレールの配置位置、開閉機の配置位置、開閉体の移動軌跡のそれぞれの位置関係が、外壁よりも屋内側（躯体側）に配置されることとなり、機構部分などが建物外壁の厚さ内に配置されることとなって、表出する部分は、開閉体収納部を構成する正面部分のみとすることができ、収納される開閉体の最大巻径に沿った形状で構成でき、見栄えの良い省スペース化を考慮された形状に構成可能となる。
【００１６】
さらに、開閉体収納部３内に配置される開閉機３５の位置が、収納部３内の底面９上であることから、建物開口２側から容易に手の届く位置となり、メンテナンス作業が行い易くなる。
【００１７】
なお、前記開閉体収納部３の正面１３およびまたは前記ガイドレール１７が脱着自在とされていると好ましい。
【００１８】
これにより、開閉体収納部３内に対する開閉機３５の出し入れを容易に行うことが可能となる。
【００１９】
また、この発明の電動巻取式開閉装置の構造は、開口部２の一側縁に配置される開閉体収納部３内へ電動の開閉機３５にて開閉体１９を躯体側方向に巻き取って巻回状態に収納する電動巻取式開閉装置の構造において、
前記開閉体収納部３内における前記開閉体１９の巻取中心Ｏよりも躯体側で、かつ該巻取中心Ｏよりも前記開口部２側に位置して前記開閉機３５（開閉機収納ケース３６）が配置されることを特徴としている。
【００２０】
このような構成によれば、開閉機３５（開閉機収納ケース３６）が、躯体外部から見て奥方に位置することとなり、開閉体収納部３として、巻回状態の開閉体１９の巻取中心よりも躯体外側を覆う部分で構成されればよく、すなわち開閉体収納部３の内側部分の無駄な空間を削減でき、これにより、この開閉体収納部３の外見を見栄えよく構成させることが可能となる。
【００２１】
さらに、この発明の電動巻取式開閉装置の構造は、開口部２の一側縁に配置される開閉体収納部３内へ電動の開閉機３５にて開閉体１９を巻き取って巻回状態に収納する電動巻取式開閉装置の構造において、
前記開閉体１９の巻取中心Ｏを通り、前記開口部２の方向に延びる線上であって前記開閉体１９の最大巻径Ｄｍより前記開口部２側となり、前記開閉体１９の最小巻径Ｄｓの前記開口部２側から前記開閉機３５（開閉機収納ケース３６）の通過が可能な挿通間隙Ｉを有して前記開閉体収納部３の一部を構成する配置面が位置し、
前記開閉体収納部３内における前記開閉体１９の最大巻径Ｄｍの外方に位置するとともに、前記開閉体１９の巻取中心Ｏよりも躯体側で、かつ該巻取中心Ｏよりも前記開口部２側に位置する前記配置面上に前記開閉機３５（開閉機収納ケース３６）が脱着自在に配置されることを特徴としている。
【００２２】
このような構成によれば、脱着自在な開閉機３５（開閉機収納ケース３６）を、挿通間隙Ｉを通して開閉体収納部３から取り出し及び取り付けを行うことが可能となる。すなわち、開閉体１９が最大巻径Ｄｍである場合には開閉機３５が脱着できず、最小巻径Ｄｓとなってる場合に挿通間隙Ｉが形成されて開閉機３５が挿通可能となり脱着できる。このことから、開口部２に対する開閉体収納部３の配設状態をコンパクトに構成でき、かつ開閉機３５のメンテナンス性も向上する。
【００２３】
なお、上記構成において、開閉機３５（開閉機収納ケース３６）の配置される位置である配置面は、開閉体１９の最小巻径Ｄｓの際に開閉機３５が挿通間隙Ｉを介して挿通可能である位置とされればよく、また、この挿通間隙Ｉに対して、開閉機３５（開閉機収納ケース３６）の挿通幅長（高さ寸法Ｈｍ）としてこの挿通間隙Ｉ以下の長さ位置で構成されることとしてもよい。また、開閉機３５（開閉機収納ケース３６）の開口部２に対する配置位置としては、開口部側とされる上記配置面に限らず、開口部２とは反対の方向の側（反開口部側）に位置させて配置させる構成でもよい。
本願請求項１では、開口部の上縁側に配置される開閉体収納部内へ電動の開閉機にて開閉体を巻き取って巻回状態に収納する電動巻取式開閉装置の構造において、前記開閉体収納部の背面と底面とで形成される内隅部の底面上における最奥部となる屋内側に位置して、内部に前記開閉機が収納された開閉機収納ケースが脱着自在に配設され、前記開閉機収納ケースは、前記開閉体収納部内に巻回状態に収納された開閉体の最大巻径の巻回周面に対面する稜部が面取り形成されて、開閉体の巻回周面に向き合う傾斜面とされていることを特徴とする。
本願請求項４では、前記開閉機収納ケースは、略角柱形状とされ、前記開閉体収納部内に巻回状態に収納された開閉体の巻回周面に対面する稜部が面取り形成されて、開閉体の巻回周面に向き合う傾斜面とされ、開閉機収納ケースの底面と背面が、前記開閉体収納部の前記内隅部の底面と背面に沿って配置されていることを特徴とする。
本願請求項５では、前記開閉体収納部の前記内隅部には、内隅部に沿って略Ｌ字状に形成された開閉体収納部側ブラケットが配設され、前記開閉機収納ケースには、基端側が開閉機収納ケースの上面に固定され、中途部分が開閉機収納ケースの前記傾斜面に沿って斜め下方に延出し、さらに斜め下方に延出された先端縁が垂下方向に延出形成されて取付片とされた板状部材よりなる開閉機収納ケース側取付ブラケットが設けられ、開閉機収納ケースが開閉体収納部側ブラケット内に配置された状態で、開閉機収納ケース側取付ブラケットの取付片が開閉体収納部側ブラケットの取付片に固定部材により着脱自在に取り付けられていることを特徴とする。
本願請求項９では、前記開閉機に対する動力伝達用の軸継手であって、前記開閉体収納部を構成するシャッターケースの側板側に設けられる軸継手に対し、開閉体収納部内の開閉機を、前記開閉体収納部側ブラケットの上で、軸線方向にスライドさせることで、脱着させるようにしたことを特徴とする。
【発明の効果】
【００２４】
以上説明したように本発明による電動巻取式開閉装置の構造では、開閉機（開閉機収納ケース）の配置位置を開閉体収納部内での背面と底面との接合部分における内隅部の底面上における最奥部に位置させるとともに、開閉体の最大巻径の外方に配設したので、開閉体収納部内のスペース効率を向上させ、より有効に利用することが可能となり、開閉体収納部の小型化を図ることができる。さらに、開閉機（開閉機収納ケース）の設置状態も安定し、その取付及び保守の作業も容易となる。
また、本発明では、開閉機（開閉機収納ケース）は、開閉体収納部内に巻回状態に収納された開閉体の巻回周面に対面する稜部が面取り形成されて、開閉体の巻回周面に向き合う傾斜面とされているところから、開閉体収納部の外形を小型化することが可能となり、開閉体収納部の縦寸法Ｄｈ及び奥行き寸法Ｄｂを減縮させることが可能となり、スペース効率が良い。また、開閉体の巻回周面が、ケースの傾斜面に沿って案内されるところから、開閉体の巻回周面が外方に膨れてケースの稜部に接触することにより、損傷し又は騒音が発生するという事故を防止することができる。
【００２５】
そして、開閉体収納部を構成する、天面，背面，底面，正面の各配置位置と、この開閉体収納部内に配置される開閉機の位置、これら各部と巻回状態となっている開閉体との位置、及び開閉体の開閉を案内するガイドレールの配置位置とを効率よく配置構成させたので、開閉体収納部内のデッドスペースである無駄な容積部分が縮小でき、開閉体や開閉機を収納する開閉体収納部の外形状を小型化することが可能となり、すなわち開閉体収納部の奥行き寸法等の各寸法を縮減させることが可能となる。
【００２６】
また、開閉体の巻取方向を内巻として屋内側方向に設定したことから、ガイドレールに対する開閉体収納部の突出方向を屋内側方向とすることとなる。これにより、躯体等の建物外壁に対して、開閉体収納部は、外壁からの突出長さが削減することが可能となる。
【００２７】
さらに、上記のような配置構成によれば、開閉体を巻き取る位置に対する開閉体をガイドレールに導く導入口の位置が、開閉機の高さ寸法が考慮された配置関係となる構成であるので、開閉体の最大巻径の位置から導入口を結ぶ移動軌跡線と最小巻径の位置から導入口を結ぶ移動軌跡線とによる角度が浅くなり、これにより導入口への開閉体の移動がスムーズなものとなる。
【００２８】
また、開閉体の巻取方向を外巻とした構成によれば、躯体等の建物の外壁の屋外側に巻取軸の中心が位置することとなるが、開閉機の配置位置、開閉体の移動軌跡のそれぞれの位置関係が、外壁よりも屋内側（躯体側）に配置されることとなる。よって、表出される部分は、開閉体収納部を構成する正面部分のみとすることができ、収納される開閉体の最大巻径に沿った形状で構成でき、見栄えの良い省スペース化を考慮された形状に構成可能となる。
【００２９】
このようなことから、開閉体収納部の大きさが小型化されることとなり、窓部分等の建物開口部分への配設状態がコンパクトに構成でき、この開口部分を大きく塞ぐような圧迫感のある構造にならずに、巻取式開閉装置の機能を窓部分に付設させることが可能となり、躯体の外観、例えば建物外観としての見栄えが良好とすることができる。
【００３０】
また、開閉体収納部内に配置される開閉機の位置を、収納部内の底面上とすることで、この開閉機に対して、建物開口側から容易に手の届く位置となり、メンテナンス作業を行い易くする効果を得られる。特に、正面とガイドレールとを脱着可能な構造とすることで、開閉体収納部内に対する開閉機の出し入れ等の作業を容易に行うことが可能となる。
さらに、請求項５又は９のように、開閉機（開閉機収納ケース）を、開閉体収納部の内隅部に沿って略Ｌ字状に形成された開閉体収納部側ブラケット上に配設させることにより、その設置状態がより安定する。請求項９のように開閉機（開閉機収納ケース）をスライドさせることで動力伝達用の軸継手と着脱させることにより、開閉機の配置作業が一層容易化する。
【図面の簡単な説明】
【００３１】
【図１】本発明による電動巻取式開閉装置の構造の一実施の形態を示す概略側断面図
【図２】同電動巻取式開閉装置の一部拡大斜視図
【図３】同電動巻取式開閉装置の一部拡大分解斜視図
【図４】同電動巻取式開閉装置を構成する開閉機の側面図
【図５】同電動巻取式開閉装置の各部配置位置関係を示す概念図
【図６】（ａ）他の実施の形態の電動巻取式開閉装置の各部配置位置関係を示す概念図  （ｂ）他の実施の形態の電動巻取式開閉装置の各部配置位置関係を示す概念図
【図７】他の実施の形態の電動巻取式開閉装置の構造を示す概略側断面図
【図８】同電動巻取式開閉装置の一部拡大斜視図
【図９】同電動巻取式開閉装置の各部配置位置関係を示す概念図
【発明を実施するための形態】
【００３２】
図１は本発明による電動巻取式開閉装置の構造の一実施の形態を示す概略側断面図である。
本実施の形態の電動巻取式開閉装置は、開閉体が、左右方向に長尺な短冊板状のスラットを上下方向に多数連結して構成される構造のシャッターカーテンとされ、このシャッターカーテンを上下に昇降移動して開閉が行われる所謂電動シャッターとされる。この電動シャッター１は、住宅やビルなどの建物などの躯体の開口部に配置される。この開口部は、シャッターカーテンなどの開閉体によって閉鎖、仕切り、区画等、空間を分かつための部分であり、例えば、住宅などの場合には窓部に相当する部分等である。そして、この電動シャッター１は、開口部を構成する部分におけるいずれか一方の面、例えば屋内と屋外を分かつ場合であれば、屋内側若しくは屋外側のいずれかの面に配置される。
本実施の形態では、住宅等の建物躯体の開口部である窓部２における屋外側に配置される例として説明する。
【００３３】
電動シャッター１を構成する開閉体収納部としてのシャッターケース３は、窓部分２の一側縁である上縁に配設され、略短冊矩形状の天面となる天板５，建物である躯体側とされ屋内側となり背面となる背板７，開口部側である閉鎖方向側の面となり底面となる底板９，及び略矩形状の左右側面となる左右側板１１により屋外側となる前方が開口した略長方箱状に形成されているとともに、屋外側の前方開口部分を閉塞する正面となる正面板としての外装ケース１３が脱着自在または開閉自在に取り付けられている。
【００３４】
本実施の形態では、外装ケース１３は、躯体側であり屋内側となる後方が開口した略箱状に形成されているとともに、上縁に係止片１４が突設され、下縁に固定片１５が延設されている。
【００３５】
そして、この外装ケース１３は、上縁の係止片１４が天板５の前端縁に形成される嵌合凹部１６に嵌入して係合し、下縁の固定片１５が左右ガイドレール１７にネジなどの固定手段（図示せず）にて固定され、すなわち、脱着自在とされている。
【００３６】
また、底板９と外装ケース１３の底板部１３ａとの間にはスリット状の開口２１が形成され、シャッターカーテン１９が出入りする。開口２１の左右端部にはそれぞれガイドレール１７の上端が接続される。
【００３７】
屋外側からみて最奥部となる背板７と底板９との接合部分である内隅部２３には、後述する開閉機３５が取り付けられる。本実施の形態では、シャッターケース３の底板９を配置面とされて開閉機３５が配設されるが、この内隅部２３に略Ｌ字状に形成されるブラケット２５が配設され、すなわちこのブラケット２５を介して開閉機３５がシャッターケース３に配設される。このブラケット２５は、図２に示すように、開口２１側の前端縁２５ａが上向きに折曲形成され、上端縁２５ｂが開口２１側に延出するように折曲形成されている。
【００３８】
なお、左右の各ガイドレール１７は、下端にて水切枠２７で連結される。
【００３９】
左右の側板１１には、対向する内面にそれぞれ軸受（図示せず）が配設されている。これら軸受は巻取軸２９の端部を支持しており、この巻取軸２９をシャッターケース３内にて水平に渡設する。この巻取軸２９には一端側に従動スプロケット３０が固設されている。なお、各軸受は、左右側板１１の板面における略中央に位置して設けられる。
【００４０】
また、巻取軸２９には、シャッターカーテン１９の上端が連結され、すなわち巻取軸２９が回転することでシャッターカーテン１９を巻き取るようになる。
【００４１】
なお、本実施の形態では、このシャッターカーテン１９の巻取方向は、屋外側となるシャッターカーテン１９の一方の面が巻取状態で外周面となる所謂内巻とされ、巻取方向が屋内（躯体）側へ向かう（図１中時計回り方向）ようになっている。
【００４２】
また、従動スプロケット３０が設けられる巻取軸２９の一端側を支持する側板１１内面には、軸受の斜め下方に位置し、この軸受に略並列して軸継手３３を備えた従動スプロケット３０よりも小径の小スプロケット３１が回動自在に軸支されている。
【００４３】
この小スプロケット３１は、図３に示すように、基板１２を介して側板１１の内面に設けられる。この基板１２には、板面に対して突設された軸３４を有し、この軸３４に小スプロケット３１が回動自在に取り付けられる。
【００４４】
また、この小スプロケット３１と略一体構造とされた軸継手３３は、図３に示すように、端部外周面に複数の凹部３３ａ、例えば、互いに等間隔に形成される略扇形状の凹部が形成されている。
【００４５】
そして、この小スプロケット３１は、従動スプロケット３０とともに、シャッターケース３内における側板１１の板面に沿うチェーン３２が巻回され、このチェーン３２を介して連動するようになっている。
【００４６】
なお、基板１２は、側板１１に対して固定する際に、従動スプロケット３０と小スプロケット３１とに巻回されるチェーン３２の張設具合を見て固定される。また、従動スプロケット３０の設けられる巻取軸２９の一端は、後述する開閉機３５の設置位置に対応させ、すなわち、建物（躯体）に配設される電動シャッター１としての左右勝手に合わせて適宜変更させ、例えば、開閉機３５の位置が、電動シャッター１の正面視で右方であれば、右方である一端側にそれぞれを構成させる。
【００４７】
開閉機３５は、少なくとも電動モータを備えた構造物であり、駆動源を構成するものである。
本実施の形態では、この電動モータと、その他の部材、例えば、減速ギア部と、ブレーキ機構部と、制御部などとともにユニット構成されている。そして、これら各部がケース３６内に構成される。
なお、開閉機３５は、ユニット構成された開閉機の構成部材が比較的容易に相互分解・組立が可能な構成とされていてもよく、この場合において開閉機を分解して脱着する場合でも、それぞれの開閉機の構成部材は、開閉体１９が最大巻径Ｄｍの状態であるときには脱着できない配置となっている。
【００４８】
ケース３６は、本実施の形態では、図１及び図２に示すように、側部の一対の稜部が約４５°の面取り角にて面取り形成されて一対の傾斜面を形成し、略六角柱形状に形成されている。ケース３６は、図５及び図９の実施の形態では、その底面と背面が直角に形成され、開閉体１９の最大巻径の巻回周面に対面する側部の一対の稜部が面取り形成されて一対の傾斜面を形成し、略五角柱形状に形成されている。
【００４９】
また、このケース３６には、図４に示すように、取付ブラケット３７が設けられる。
取付ブラケット３７は、中途が屈曲形成された板状部材で、基端側３７ｂがケース３６上面に固定され、中途部分がケース３６の一方の傾斜面に沿って斜め下方に延出し、さらに先端縁が垂下方向に延出形成されて取付片３７ａとされている。
【００５０】
そして、この開閉機３５は、シャッターケース３内における屋内側となり最奥部となる背板７と底板９との接合部分の内隅部２３に配設されたブラケット２５上に、長手方向を巻取軸２９の軸線方向と平行、すなわち開閉機３５の出力軸の軸線方向と巻取軸２９の軸線方向とが平行に並列状態となり、かつ、上記一方の傾斜面が巻取軸２９の周面に向き合い配置される。
【００５１】
この開閉機３５のブラケット２５への取付状態は、図４に示すように、ブラケット２５の上端縁２５ｂの下面に取付ブラケット３７の基端３７ｂが当接状態となり、すなわちブラケット２５の底板と上端縁２５ｂとの間に開閉機３５が略挟持状態となるように配置され、ブラケット２５の前端縁２５ａの前面に取付ブラケット３７の取付片３７ａを当接状態として、これら前端縁２５ａと取付片３７ａとをネジなどの固定部材４１を用いて取り付けるようになっている。すなわち、固定部材４１の脱着により、開閉機３５はブラケット２５からの脱着を可能としている。この脱着の際には、シャッターケース３の底板９に沿って開閉機３５のブラケット２５への脱着が行われ、シャッターケース３の前方開口部分からの作業にて行えるようになる。
【００５２】
開閉機３５の出力軸には、連結部３９が設けられている。この連結部３９は、上述した小スプロケット３１の軸継手３３に嵌合して連結されるようになっている。すなわち、連結部３９は、図３に示すように、略円板状の端面に複数の凸部３９ａ、例えば、互いに等間隔に形成される略扇形状の凸部が形成されており、これら凸部３９ａと、軸継手３３の凹部３３ａとが互いに軸線方向を一致させて嵌合しあい、開閉機３５の出力軸と小スプロケット３１とを連動連結させるようになっている。
【００５３】
そして、制御部からの駆動信号により電動モータが回転駆動し、その回転駆動力が連結部３９，軸継手３３，小スプロケット３１を介してチェーン３２を駆動し、従動スプロケット３０を回転させて、上記巻取軸２９を回動させるようになっている。
【００５４】
なお、開閉機３５の連結部３９と軸継手３３とは、上記したように軸線方向に互いに嵌め合うことで回転を伝達する連結構造であり、すなわち側板１１側に設けられる軸継手３３に対し、開閉機３５をブラケット２５上で軸線方向にスライドさせることで、脱着される構造とされる。
【００５５】
次に、上述した各部の配置位置について図５を参照して説明する。
まず、シャッターカーテン１９の昇降をガイドする両ガイドレール１７は、建物外壁Ｗと略面一となり、シャッターカーテン１９が屋外に面するように配置される。
【００５６】
シャッターケース３は、建物開口２部分の上縁に位置し、本実施の形態ではこのシャッターケース３を構成する正面板である外装ケース１３を除く天板５，背板７，底板９の部分が建物壁の厚さＤｗ内に納まり、すなわち、天板５及び底板９の前端縁が建物外壁側となって配置される。
【００５７】
シャッターケース３を構成する天板５，背板７，外装ケース１３の各部の位置は、それぞれの内側面部が、左右側板１１に両端を支持される巻取軸２９の中心軸線Ｏの位置に対し、シャッターカーテン１９を全て巻き取った状態（開口部（窓部）２を全て開放した状態）である最大巻径Ｄｍに所定のクリアランスＣ、例えば１０ｍｍの間隙を加えた距離、すなわちシャッターカーテン１９の最大巻径ＤｍにクリアランスＣを加えた外径線Ｄｃ上に位置し、この外径線Ｄｃの上方頂点Ｕに位置して天板５の内側面部が位置し、外径線Ｄｃの後方頂点Ｂに位置して背板７の内側面部が位置し、外径線Ｄｃの前方頂点Ｆに位置して外装ケース１３の内側面部が位置するようにそれぞれ構成される。
【００５８】
また底板９の位置は、背板７と底板９との接合部分である内隅部２３に取り付けられる開閉機３５が、最大巻径ＤｍにクリアランスＣを加えた外径線Ｄｃ上に、ケース３６若しくは取付ブラケット３７の表面が位置する状態での位置となり、巻取中心Ｏを通り、垂下方向に延びる線Ｌｏ上であって最大巻径Ｄｍより下方となって、シャッターカーテン１９の最小巻径Ｄｓの下端から所定の挿通間隙Ｉを有して内側面部が位置するように設定される。なお、最小巻径Ｄｓとは、開口部（窓部）２を全て閉鎖した状態で、シャッターカーテン１９を繰り出した状態である。
【００５９】
すなわち、シャッターケース３としての奥行き長さＤｂは、シャッターカーテン１９の最大巻径Ｄｍに前方と後方のクリアランスＣを加えた長さになり、またシャッターケース３の高さＤｈは、シャッターカーテン１９の最大巻径Ｄｍの半径分（Ｄｍ／２）に上方のクリアランスＣを加え、かつ最小巻径Ｄｓの半径分（Ｄｓ／２）に挿通間隙Ｉを加えた長さとされる。
なお、上記した各クリアランスＣは、シャッターカーテン１９やその巻径、シャッターケース３の各部の形状・寸法等の特性や取付等による誤差やズレ等の諸事情・条件を勘案して設定される所定の寸法であり、なるべく小さく設定することが好ましい。
【００６０】
底板９上に設定される挿通間隙Ｉは、シャッターケース３内に配置される開閉機３５が、通過可能な間隙長さとされ、すなわち開閉機３５の高さ寸法Ｈｍより長く、また、シャッターカーテン１９を巻き取った際の最大巻径Ｄｍとされた場合での底板９とシャッターカーテン１９との間隙長さＳは開閉機３５の高さ寸法Ｈｍより小さく、この開閉機３５が容易に取り出せない間隔長さに設定される。この最大巻径Ｄｍでの底板９とシャッターカーテン１９との間隙長さＳは、開閉機３５の配置により生ずる間隔、別言すると、開閉機３５の形状や大きさにより必要となる間隙長さでもあり、また、シャッターケース３内に配置された状態での開閉機３５に対してメンテナンス作業を行うことの可能な、すなわち、点検等の作業のためにメンテナンス作業者の手や工具等を通過させることの可能な間隙長さでもあり、好ましくは、この間隙長さＳを有した構成とされる。
【００６１】
なお、シャッターカーテン１９を巻き取った際の最大巻径Ｄｍとされた場合でのシャッターカーテン１９と底板９との間隙長さＳは、より小さく、例えば最大巻径Ｄｍの下方のクリアランスＣと同等の長さに設定することで、シャッターケース３の高さＤｈを最小な構成とすることが出来る。すなわち、図６（ａ）に示すように、底板９と背板７との内隅部２３に位置して外径線Ｄｃより外方となり、最小巻径Ｄｓによる挿通間隙Ｉの範囲内となる外形状の開閉機３５（図中斜線部分）を構成することでシャッターケース３である開閉体収納部としての最小の構成を得ることができる。
【００６２】
また、シャッターケース３を構成する背板７の形状、すなわち開閉体収納部としての背面の形状が、図６（ｂ）に示すように、略平面状でなく底板９側の奥行き長さＤｂを建物壁の厚さＤｗ内で十分に長尺に形成し、内隅部２３を屋内側に近接させて構成することで、開閉機３５の外形状（図中斜線部分）に対応しながらもシャッターケース（開閉体収納部）３としての高さＤｈを最小に構成することが可能である。
【００６３】
また、ガイドレール１７の配設位置は、上記したように建物外壁Ｗと略面一な位置に設定されるとともに、図５に示すように、巻取軸２９に対する配置位置として、巻取中心Ｏを通る垂線Ｌｏとシャッターカーテン１９の最大巻径Ｄｍの前方頂点Ｆａを通る垂線Ｌｆとの間Ｐ１とされ、好ましくは最大巻径Ｄｍの前方頂点Ｆａを通る垂線Ｌｆと最小巻径Ｄｓの前方頂点Ｆｂを通る垂線Ｌｓとの間Ｐ２とされて、シャッターケース３の背板７からの距離が、底板９の奥行き長さＥと略同一とされる位置に設定される。そして、ガイドレール１７上端の導入口１７ａが底板９より上方に延びシャッターケース３内に位置する。
【００６４】
なお、本実施の形態の電動シャッター１は、図１に示すように、窓部分２に配設されるサッシ窓５０の枠体とともにユニット化されている。
【００６５】
すなわち、電動シャッター１を構成するシャッターケース３の底板９下面に、サッシ枠の上枠５１が固設され、また左右の縦サッシ枠５２に左右ガイドレール１７が外枠５３を介して略一体となるように構成され、さらにサッシ枠の下枠５４と電動シャッター１の水切枠２７とが一体構成とされる。
【００６６】
また、左右のガイドレール１７は、左右各外枠５３に対し、脱着自在に設けられており、メンテナンス時などに各ガイドレール１７が取り外せるようになっている。
【００６７】
そして、この電動シャッター１での、メンテナンス時には、まず、シャッターケース３の外装ケース１３を取り外す。この外装ケース１３は、下縁の固定片１５を固定している固定部材を取り外した後、この固定片１５側を上方へ回動させるように持ち上げ（図１中一点鎖線）、その後に上縁の係止片１４を抜脱することで取り外す。
【００６８】
次に、左右のガイドレール１７を取り外して、シャッターカーテン１９を所定長さ巻き戻し、底板９とシャッターカーテン１９の巻取外径の下縁との間に十分な間隙、すなわち開閉機３５が通過可能な間隙（図５中Ｉ）を形成させ、下端縁が自由になっているシャッターカーテン１９を捲くり上げるように屋外側へ持ち上げて、屋外側から間隙間に手を延ばしてシャッターケース３内の開閉機３５を取り出すことでメンテナンス等の作業を行う。
【００６９】
この開閉機３５の取り出し手順としては、ブラケット２５の前端縁２５ａと取付ブラケット３７の取付片３７ａとを固定している固定部材４１を外し、互いの固着状態を解除し、次に、開閉機３５をブラケット２５上で軸線方向にスライドさせて開閉機３５の連結部３９と軸継手３３との嵌合状態を解除し、その後、ブラケット２５から開閉機３５をシャッターケース３の底板９に沿ってシャッターケース３の前方開口部分へと移動させることで取り出す。
【００７０】
従ってこのように構成された電動シャッターの構造によれば、シャッターケース３を構成する、天板５，背板７，底板９，外装ケース（正面板）１３の各配置位置と、このシャッターケース３内に配置される開閉機３５の位置、これら各部とシャッターカーテン１９を巻き取る巻取軸２９との位置、及びシャッターカーテン１９の開閉を案内する左右ガイドレール１７の配置位置とを上述のように構成させたので、シャッターケース３内のデッドスペースである無駄な容積部分が縮小でき、巻取軸２９や開閉機３５を収納するシャッターケース３の外形状を小型化することが可能となり、すなわちシャッターケース３の縦寸法Ｄｈ及び奥行き寸法Ｄｂを縮減させることが可能となる。
【００７１】
また、シャッターカーテン１９の巻取方向を内巻として屋内側方向に設定したことから、ガイドレール１７に対するシャッターケース３の突出方向を屋内側方向とすることとなる。
【００７２】
これにより、建物外壁Ｗに対して、シャッターケース３は、その外壁の厚さＤｗ内に大半が位置するようになり、外壁Ｗからの突出長さが削減され、本実施の形態では外装ケース１３のみとなり、建物外観としての見栄えが良好となるとともに、シャッターケース３の大きさが小型化されたことから、窓部分２等の建物開口部分への配設状態がコンパクトになり、この開口部分２を大きく塞ぐような圧迫感のある構造にならずに、シャッターの機能を窓部分に付設させることが可能となる。
【００７３】
また、シャッターケース３内に配置される開閉機３５の位置が、ケース３内の底板９上であることから、容易に手の届く位置でありメンテナンス作業が行い易く、特に、正面板となる外装ケース１３とガイドレール１７とを脱着可能な構造としたので、シャッターケース３内に対する開閉機３５の出し入れを容易に行うことが可能となる。
【００７４】
さらに、上記のような配置構成によれば、シャッターカーテン１９を巻き取る位置に対するシャッターカーテン１９をガイドレール１７に導く導入口１７ａの位置が、開閉機３５の高さ寸法Ｈｍが考慮された配置関係となる構成であるので、シャッターカーテン１９の最大巻径Ｄｍの位置から導入口１７ａを結ぶ移動軌跡線（図５中Ｇ１）と最小巻径Ｄｓの位置から導入口１７ａを結ぶ移動軌跡線（図５中Ｇ２）とによる角度θが浅くなり、これにより導入口１７ａへのシャッターカーテン１９の移動がスムーズなものとなる。
【００７５】
なお、上述した実施の形態では、シャッターカーテン１９の巻取方向が、屋外側となるシャッターカーテン１９の一方の面が巻取状態で外周面となる所謂内巻とされ、巻取方向が屋内側に向かう構成として説明したが、開閉体であるシャッターカーテン１９の巻取方向が、屋外側となるシャッターカーテン１９の一方の面が巻取状態で内周面となる所謂外巻とされ、巻取方向が屋外側に向かう構成（図７中反時計回り方向）とされる電動シャッター（電動巻取式開閉装置）としてもよい。
【００７６】
この外巻構成の電動シャッター１’の場合、図７に示すように、シャッターケース３の左右側板１１に支持される巻取軸２９の巻取中心に対して屋内（躯体）側からシャッターカーテン１９がガイドレール１７に導かれるよう構成されている。すなわち、この電動シャッター１’の場合では、巻取軸２９に対するシャッターカーテン１９の移動軌跡の位置が、巻取軸２９の巻取中心に対して屋内（躯体）側であって、かつ底板９側であり、すなわち、巻取軸２９に対するシャッターケース３の内隅部２３にやや近接する構造となる。
【００７７】
また、この例の電動シャッター１’では、上述した実施の形態の電動シャッター１と同様に、シャッターケース３の内隅部２３に位置して開閉機３５が配置される。この開閉機３５の配置位置は、シャッターケース３を構成する背板７と底板９との接合部分である内隅部２３であって、シャッターケース３の屋外側からの最奥部に位置して脱着自在に取り付けられる。
【００７８】
なお、この電動シャッター１’では、図７に示すように、底板９と背板７との接合部分である内隅部２３に、上述した実施の形態と同様に開閉機３５が配置されるが、図８に示すように、背板７の内面に設けられる略Ｌ字状の支持ブラケット４２と、スリット状開口２１の後縁に折曲形成される支持片４３とに取り付けられるようになっている。
【００７９】
すなわち、図８に示すように、開閉機３５のケース３６は、上記した実施の形態と同様に、側部の一対の稜部が約４５°の面取り角にて面取り形成されて一対の傾斜面を形成し、略六角柱形状に形成され、このケース３６には、中途が屈曲形成された板状部材よりなる取付ブラケット３７が設けられる。取付ブラケット３７は、基端側３７ｂがケース３６上面に固定され、中途部分がケース３６の一方の傾斜面に沿って斜め下方に延出し、さらに先端縁が垂下方向に延出形成されて取付片３７ａとされている。そして、この開閉機３５は、シャッターケース３内における屋内側となり最奥部となる背板７と底板９との接合部分の内隅部２３に、長手方向を巻取軸２９の軸線方向と平行、すなわち開閉機３５の出力軸の軸線方向と巻取軸２９の軸線方向とが平行に並列状態となって配置される。
【００８０】
この開閉機３５の取付状態は、図７に示すように、支持ブラケット４２の下面に取付ブラケット３７の基端３７ｂが当接状態となり、すなわち支持ブラケット４２と底板９との間に開閉機３５が略挟持状態となるように配置され、支持片４３の前面に取付ブラケット３７の取付片３７ａを当接状態として、これら支持片４３と取付片３７ａとをネジなどの固定部材４１を用いて取り付けるようになっている。すなわち、固定部材４１の脱着により、開閉機３５の脱着を可能としている。この脱着の際には、シャッターケース３の底板９に沿って開閉機３５の脱着が行われ、シャッターケース３の前方開口部分からの作業にて行えるようになる。
【００８１】
なお、支持片４３と取付片３７ａとの固定の際に、シャッターケース３の底板９の下面に位置するサッシ上枠５１とともに固定することとしてもよく、例えば、このサッシ上枠５１に上方へ延出される固定片５１ａなどを突出形成し、この固定片と、上記支持片４３及び取付片３７ａとをともにネジなどの固定部材４１にて固定させる構造とすることで、ユニット構造を得ることとなる。
【００８２】
また、開閉機３５の出力軸には、上記実施の形態と同様に、連結部３９が設けられ、小スプロケット３１の軸継手３３に軸方向より嵌合して連結されるようになっている。
【００８３】
そして、この外巻構成の電動シャッター１’の場合では、各部の配置位置を、好ましくは、図９に示すような構成とする。
すなわち、シャッターケース３を構成する天板５，背板７，外装ケース１３の各部の位置は、それぞれの内側面部が、左右側板１１に両端を支持される巻取軸２９の中心軸線Ｏの位置に対し、シャッターカーテン１９を全て巻き取った状態である最大巻径Ｄｍに所定のクリアランスＣ、例えば１０ｍｍの間隙を加えた距離、すなわちシャッターカーテン１９の最大巻径ＤｍにクリアランスＣを加えた外径線Ｄｃ上に位置し、この外径線Ｄｃの上方頂点Ｕに位置して天板５の内側面部が位置し、外径線Ｄｃの後方頂点Ｂに位置して背板７の内側面部が位置し、外径線Ｄｃの前方頂点Ｆに位置して外装ケース１３の内側面部が位置するようにそれぞれ構成される。
【００８４】
また底板９の位置は、背板７と底板９との接合部分である内隅部２３に取り付けられる開閉機３５が、最大巻径ＤｍにクリアランスＣを加えた外径線Ｄｃ上に、ケース３６若しくは取付ブラケット３７の表面が位置する状態での位置となり、巻取中心Ｏを通り、垂下方向に延びる線Ｌｏ上であって最大巻径Ｄｍより下方となって、シャッターカーテン１９の最小巻径Ｄｓの下端から所定の挿通間隙Ｉを有して内側面部が位置するように設定される。
【００８５】
すなわち、シャッターケース３としての奥行き長さＤｂは、シャッターカーテン１９の最大巻径Ｄｍに前方と後方のクリアランスＣを加えた長さになり、またシャッターケース３の高さＤｈは、シャッターカーテン１９の最大巻径Ｄｍの半径分（Ｄｍ／２）に上方のクリアランスＣを加え、かつ最小巻径Ｄｓの半径分（Ｄｓ／２）に挿通間隙Ｉを加えた長さとされる。
【００８６】
底板９上に設定される挿通間隙Ｉは、シャッターケース３内に配置される開閉機３５が、通過可能な間隙長さとされ、すなわち開閉機３５の高さ寸法Ｈｍより長く、また、シャッターカーテン１９を巻き取った際の最大巻径Ｄｍとされた場合での底板９とシャッターカーテン１９との間隙長さＳは開閉機３５の高さ寸法Ｈｍより小さく、この開閉機３５が容易に取り出せない間隔長さに設定される。なお、開閉機３５は、シャッターカーテン１９のシャッターケース３内での移動軌跡に干渉しない位置に配置される。
【００８７】
また、ガイドレール１７の配設位置は、例えば建物外壁Ｗと略面一な位置に設定されるとともに、図９に示すように、巻取軸２９に対する配置位置として、巻取中心Ｏを通る垂線Ｌｏとシャッターカーテン１９の最大巻径Ｄｍの後方頂点Ｂａを通る垂線Ｌｂとの間Ｐ１とされ、好ましくは最小巻径Ｄｓの後方頂点Ｂｂを通る垂線Ｌｃと巻取中心Ｏを通る垂線Ｌｏとの間Ｐ２とされる。そして、ガイドレール１７上端の導入口１７ａが底板９より上方に延びシャッターケース３内に位置する。
【００８８】
このような外巻構成の電動シャッター１’によれば、上述した内巻構成の電動シャッター１と同様に、外装ケース１３を取り外し、屋外側からシャッターケース３内の開閉機３５を取り外してメンテナンス等を行うことが可能となる。
【００８９】
そして、この電動シャッター１’の構造によれば、シャッターケース３を構成する、天板５，背板７，底板９，外装ケース（正面板）１３の各配置位置と、このシャッターケース３内に配置される開閉機３５の位置、これら各部とシャッターカーテン１９を巻き取る巻取軸２９との位置、及びシャッターカーテン１９の開閉を案内する左右ガイドレール１７の配置位置とを上述のように構成させたので、シャッターケース３内のデッドスペースである無駄な容積部分が縮小でき、巻取軸２９や開閉機３５を収納するシャッターケース３の外形状を小型化することが可能となり、すなわちシャッターケース３の縦寸法Ｄｈ及び奥行き寸法Ｄｂを縮減させることが可能となる。
【００９０】
特に、シャッターカーテン１９の巻取方向を外巻として設定したことから、図９に示すように、外壁Ｗの屋外側に巻取軸２９の中心が位置することとなるが、開閉機３５の配置位置、シャッターカーテン１９の移動軌跡のそれぞれの位置関係が、外壁Ｗよりも屋内側に配置されることとなる。よって、表出される部分は、シャッターケース３を構成する外装ケース１３のみとすることができ、すなわち、シャッターケース３としての正面側である外装ケース１３の形状を、上記した外径線Ｄｃに沿う湾曲面にて構成するなど見栄えの良い省スペース化を考慮された形状に構成可能となる。
【００９１】
そして、シャッターケース３の大きさが小型化されることから、窓部分２等の建物開口部分への配設状態がコンパクトになり、この開口部分２を大きく塞ぐような圧迫感のある構造にならずに、シャッターの機能を窓部分に付設させることが可能となる。また、シャッターケース３内に配置される開閉機３５の位置が、ケース３内の底板９上であることから、容易に手の届く位置でありメンテナンス作業が行い易くなる。
【００９２】
また、上述した各実施の形態では、開閉体をスラットを連結して構成されるシャッターカーテン１９とし、電動巻取式開閉装置をこのシャッターカーテン１９を具備する電動シャッター１，１’とした例を示したが、開閉体としては、上記したスラットよりなるシャッターカーテン１９の他に、多数のパネル材を連接して構成されるパネルカーテンや、多数のパイプ材をリンク部材にて連接して構成されるグリルカーテン、シート材よりなるカーテン、ネット材よりなるカーテン、さらにはこれらカーテンが組み合わされて構成される複合カーテンなどとしてもよく、またブラインドカーテンやスクリーンカーテンとしてもよく、電動巻取式開閉装置としては、上記した種々のカーテンを具備する、例えばパネルシャッター装置や、グリルシャッター装置、ロールブラインド装置やロールカーテン装置、ロールスクリーン装置、ロールオーニング装置としてもよい。
【００９３】
また、上述した各実施の形態では、開閉体としてのシャッターカーテン１９が、建物開口２の上縁にて巻回されて収納され、建物開口に対して上方より降下することでこの開口を閉鎖するように、すなわち開閉体１９の開閉方向が、上下方向とされ、昇降することで開口を開閉する構成とした例について述べたが、この開閉体による建物開口に対する開閉の方向は、これに限定されることはなく、左右方向としてもよく、また下方から開閉を行う構成としてもよい。
【００９４】
例えば、開口部の下縁を一側縁として開閉体収納部が配設され、この開口部の下部に位置する開閉体収納部に、シャッターカーテンなどの開閉体が巻取収納されて、上昇することで開口部の閉鎖を行う開閉装置、所謂上昇閉鎖式開閉装置にも適用が可能である。そしてこの構成の場合、開閉機の配設位置は、開閉体収納部の躯体側（屋内側）で、かつ開閉体の閉鎖方向側とされ、例えば開閉体収納部の背板と天板との接合部分である内隅部に配置させる。
【００９５】
また、開口部の右側縁或いは左側縁を一側縁として開閉体収納部が配設される構成としてもよく、すなわち、シャッターカーテンなどの開閉体が左右横方向に移動することで開閉となる開閉装置、所謂横引きシャッター装置などの横引き式開閉装置にも適用できる。この場合、開閉機の配設位置は、開閉体収納部の躯体側（屋内側）で、かつ開閉体の閉鎖方向側とされ、例えば開閉体収納部の背板と側板との接合部分である内隅部、例えば開口部の右側縁に開閉体収納部を配設する場合には、背板と左側板との内隅部とし、また開口部の左側縁に開閉体収納部を配設する場合には、背板と右側板との内隅部に開閉機が配置される構成とする。
【００９６】
さらに、上述の実施の形態では、建物開口として窓部２とした例であり、すなわち、略垂直な壁面に開口形成される開口部分に対して開閉体であるシャッターカーテン１９が開閉動作を行う例として説明したが、この建物開口は、水平面や傾斜面に形成されることとしてもよく、すなわち、開閉体の開閉方向が、水平方向や傾斜方向とされて構成されてもよい。
【００９７】
さらに、上述した実施の形態では、開閉体としてのシャッターカーテン１９を巻回状態で収納する開閉体収納部３として、天板５、背板７、正面板１３、底板９、側板１１の各板状部材で略長方箱状に形成されるシャッターケース３にて構成する例について述べたが、この開閉体収納部３としては、シャッターカーテンなどの開閉体１９を巻き取り、巻回状態で収納可能な空間部分とされればよく、例えば、建物の壁面の一部に形成される空間を収納部分として形成する構造としてもよく、すなわち、空間部分に巻回状態の開閉体１９を覆い隠すように収納できれば、建物躯体の窪み部分や凹状部分、若しくは、これら空間に蓋状の被覆部材を組み合わせた構造としてもよい。このような構造の場合においても、上述した実施の形態で述べたように、開閉機の位置及び巻回状態とされる開閉体の位置を、それぞれ配置することで、上記同様に効果を得られる。
【００９８】
また、上述した実施の形態では、開閉体収納部としてのシャッターケース３の形状が、断面略矩形箱状とされているが、このシャッターケース（開閉体収納部）の形状は任意であり、多角形状、略多角形状等に形成されていればよく、少なくとも躯体側（屋内側）に内隅部が形成される形状であればその他の形状として構成しても良い。好ましくは、建物（躯体）の開口部の一側縁となる例えば上記したサッシ上枠の直上部分等の開閉体（シャッタカーテン）１９の閉鎖方向側に内隅部が形成される形状がよい。
【００９９】
さらに、上述した実施の形態では、開閉機３５の外形状を略六角柱形状とした例について説明したが、この開閉機３５の外形状はこれに限らず、略四角柱形状などの多角形柱状などとしてもよく、シャッターケース３内にてシャッターカーテン（開閉体）１９などと干渉しない形状であれば、その他の形状に形成されることとしてもよい。
【０１００】
また、この開閉機３５のシャッターケース３内における配置状態について、開閉機３５が、背板７と底板９との内隅部２３に沿い、各板７，９に略密着状態とされている例として説明したが、各板７，９に対し必ずしも密着状態とされていなくともよく、例えば通線のための間隙を設けてやや斜めに配置する構成としてもよく、また、いずれかの板面（背板７或いは底板９）に対して所定の間隙を有して配置する構成としてもよい。
【０１０１】
さらに、上述した実施の形態では、シャッターカーテン１９などの開閉体を巻き取る巻取軸２９が、シャッターケース３内にて軸受を介して両端が支持される構成とされており、巻取中心としての軸心がシャッターケース３内において移動することのない構成であるが、この巻取軸２９の軸心が移動しない構造の場合、上述したように、最小巻径Ｄｓの状態と最大巻径Ｄｍの状態のそれぞれの移動軌跡線Ｇ１，Ｇ２（図５参照）による角度θが発生することとなり、すなわちシャッターカーテン（開閉体）１９のガイドレール１７への導入に角度が生じるが、この角度θを極力発生させないように、巻取中心を移動させる構成、すなわち、巻取軸２９によるシャッターカーテン（開閉体）１９の巻き取り，巻き戻しの動作時に、巻取軸２９に巻回されているシャッターカーテン１９とガイドレール１７の導入口１７ａとを結ぶ移動軌跡線が常に真直若しくは略真直となるようにガイドレール１７の延長線上に位置させる構成としてもよい。この場合、巻取軸２９は、シャッターカーテンの巻き取り，巻き戻しの回動に伴って、シャッターケース内を移動するよう構成され、すなわち、最大巻径の状態では巻取軸２９の軸心がガイドレール導入口より離れた位置となり、最小巻径の状態では巻取軸２９の軸心がガイドレール導入口に近接する位置となるように、例えば巻取軸２９の回転に伴って転動する構成や、巻取軸２９の両端を支持する軸受がスライド移動する構成とする。
【符号の説明】
【０１０２】
１，１’…巻取式開閉装置（電動シャッター）
２…開口部（窓部）
３…開閉体収納部（シャッターケース）
５…天面（天板）
７…背面（背板）
９…底面（底板）
１３…正面（正面部，外装ケース）
１７…ガイドレール
１７ａ…導入口
１９…開閉体（シャッターカーテン）
２３…内隅部
２５…ブラケット
３５…開閉機
３６…開閉機収納ケース
３７…取付ブラケット
Ｂ…後方頂点
Ｃ…クリアランス
Ｄｂ…開閉体収納部（シャッターケース）の奥行き長さ
Ｄｃ…外径線
Ｄｈ…開閉体収納部（シャッターケース）の高さ
Ｄｍ…最大巻径
Ｄｓ…最小巻径
Ｆ…前方頂点
Ｉ…挿通間隙
Ｌｆ…垂線
Ｌｏ…垂線
Ｏ…巻取中心
Ｗ…外壁